(57)【要約】      （修正有）【課題】質問に対するユーザーの回答を較正するための方法及びシステムを提供する。【解決手段】方法は、コンピュータシステム及び前記コンピュータシステムに操作可能に連結された対話型ディスプレーの支援により、クエリーをユーザーに提示する。クエリーは、ユーザーの食事の摂取、運動、健康状態または精神状態に関係する。コンピュータシステムは、ユーザーからクエリーに対する回答を受け取り、一組の参照情報に基づいて、ユーザーのクエリーに対する回答を解釈する。一組の参照情報は、食事の摂取の分量、運動の運動量のレベル、健康状態の現状または精神状態の現状の絵画的描写を含む。【選択図】図１
2019091498.tif 000002
【特許請求の範囲】
【請求項１】
明細書に記載された発明。
【発明の詳細な説明】
【背景技術】
【０００１】
［相互参照］
本出願は、参照によりその全体が全ての目的で本明細書に組み込まれる、２０１２年９月２５日に出願された、米国特許仮出願第６１／７０５，５５２号による優先権を主張する。
【０００２】
［発明の背景］
質問票は、回答者から情報を収集する目的のための、一連の質問、または他の促進するものである。質問票は、ユーザーの回答の統計的な分析のために設計された研究機器であり得る。
【０００３】
質問票は、グラフィカル・ユーザー・インターフェース（ＧＵＩ）を有するコンピュータの支援下にユーザーに提示され得る。ＧＵＩは、ユーザーが、画像およびテキストのコマンドを通じて、電子機器と相互作用をすることを許容するタイプのユーザー・インターフェースである。ＧＵＩは、例えば、コンピュータ、ＭＰ３プレーヤー、携帯メディアプレーヤー、携帯電話、ゲーム機器、家庭電化製品および事務機器などのハンドヘルド機器において用いられ得る。ある場合には、ＧＵＩは、ユーザーが利用できる情報および行動を、図形アイコンおよびテキストに基づくインターフェースとは対照的な二次的表記法、タイプされたコマンドのラベル、音声コマンドおよび回答、点字インターフェースまたはテキスト・ナビゲーションなどの他の可視的表示を通じて提示する。
【０００４】
現在利用可能な、質問票のシステムおよび方法に付随する、様々な問題点および制限が存在する。例えば、質問票が、ユーザーに以下の質問を提示するとする：「あなたの昼食はどの程度の大きさでしたか？」。この質問票は、ユーザーが、そこから選択できる「少ない」、「中程度」、「大きい」などの様々な回答選択肢を提示する。これらの選択肢からのユーザーの１つの選択は、典型的には、質問票を提供した個人に、ユーザーの回答を解釈する能力を提供しない。
【発明の概要】
【課題を解決するための手段】
【０００５】
［発明の要旨］
本明細書において認識されるものは、質問票を提供するための、改善された質問票およびシステムの必要性である。例えば、必要なものは、ユーザーに質問票（例えば、案内付きの質問票）を提供する一方で、質問票により課せられた質問へのユーザーの回答  を容易に評価するシステムである。
【０００６】
典型的に、質問票中の質問へのユーザーの回答を評価することは困難であり得る。例えば、ユーザーに「あなたの昼食はどの程度の大きさでしたか？」という質問を示されて、ユーザーが「中程度」と回答した場合、質問票を提供した個人は、前記ユーザーが「中程度」により何を意味したのかを決定する手段はない。前記ユーザーにとっては、「中程度」は、例えば、お皿の半分、お皿一杯の、またはお皿１枚半の食品を意味し得る。別の例では、ユーザーが有効に量を評価する能力を持たないことがあり得る。例えば、ユーザーの、ある文脈または時点における「中程度」の選択または、ユーザーの、別の文脈または時点における「中程度」の選択と異なり得る。従って、本明細書で提供されるものは、改善された質問票、質問票を提供するためのシステム、および関連する方法ならびにコンピュータ可読媒体である。
【０００７】
一実施形態では、食事の摂取、運動、健康状態、または精神状態に関する質問に対するユーザーの回答を較正するための、コンピュータにより実行される方法が提供され、この方法は以下を含む：（ａ）コンピュータシステム、および前記コンピュータシステムに操作可能に連結された対話型ディスプレーの支援により、ユーザーにクエリーを提示することであって、前記クエリーは前記ユーザーの食事の摂取、運動、健康状態，または精神状態に関係し；（ｂ）コンピュータシステムおよび対話型ディスプレーの支援により、前記ユーザーからの前記クエリーへの回答を受け取ること、および（ｃ）コンピュータプロセッサの支援により、一組の参照情報に基づいて回答を解釈することであって、前記一組の参照情報は、前記食事の摂取、前記運動の量、前記健康状態の現状、または前記精神状態の現状の分量の絵画的描写を含む。前記方法は、ステップ（ｃ）に続いて、前記ユーザーの健康を観察することを含み得る。
【０００８】
食事の摂取、運動、健康状態、または精神状態に関する質問に対するユーザーの回答を較正するための、コンピュータにより実行される方法が提供され、この方法は以下を含む：（ａ）コンピュータシステム、および前記コンピュータシステムに操作可能に連結された対話型ディスプレーの支援により、ユーザーにクエリーを提示することであって、前記クエリーは前記ユーザーの食事の摂取、運動、健康状態、または精神状態に関係し；（ｂ）コンピュータシステムおよび対話型ディスプレーの支援により、前記ユーザーからの前記クエリーへの回答を受け取ること、および；（ｃ）コンピュータプロセッサの支援により、一組の参照情報を有する較正マトリクスに基づいて回答を解釈することであって、前記参照情報は、前記食事の摂取、前記運動の量、前記健康状態の現状、または前記精神状態の現状の分量の絵画的描写の支援により作成される。前記方法は、ステップ（ｃ）に続いて、前記ユーザーの健康を観察することを含み得る。
【０００９】
別の実施形態では、本明細書で提供されるものは、食事の摂取、運動、健康状態、または精神状態に関する質問に対するユーザーの回答を較正を実施するための、機械により実行可能なコードを含む、コンピュータ可読媒体であり、この媒体は以下を含む：（ａ）コンピュータシステム、および前記コンピュータシステムに操作可能に連結された対話型ディスプレーの支援により、ユーザーにクエリーを提示することであって、前記クエリーは前記ユーザーの食事の摂取、運動、健康状態，または精神状態に関係し；（ｂ）コンピュータシステムおよび対話型ディスプレーの支援により、前記ユーザーからの前記クエリーへの回答を受け取ること、および；（ｃ）コンピュータプロセッサの支援により、一組の参照情報に基づいて回答を解釈することであって、前記一組の参照情報は、前記食事の摂取、前記運動の量、前記健康状態の現状、または前記精神状態の現状の分量の絵画的描写を含む。食事の摂取、運動、健康状態、または精神状態に関する質問に対するユーザーの回答を較正するための方法は、ステップ（ｃ）に続いて、前記ユーザーの健康を観察することを含み得る。
【００１０】
別の実施形態では、食事の摂取、運動、健康状態、または精神状態に関する質問に対するユーザーの回答を較正するためのシステムが提供され、このシステムは以下を含む：機械により生成される図形の項目を、ユーザーに提示するために構成された、対話型ディスプレー；および前記対話型ディスプレーに操作可能に連結されたコンピュータシステムであって、前記コンピュータシステムは、前記コンピュータシステムのプロセッサの支援により、機械により実行可能なコードが方法を実行するための記憶場所を有し、この方法は以下を含む：（ａ）前記コンピュータシステムおよび対話型ディスプレーの支援により、ユーザーにクエリーを示すことであって、前記クエリーは、前記ユーザーの食事の摂取、運動、健康状態または精神状態に関連し；（ｂ）前記コンピュータシステムおよび対話型ディスプレーの支援により、前記ユーザーからの前記クエリーへの回答を受け取ること、および（ｃ）前記コンピュータシステムの支援により、一組の参照情報に基づいて前記回答を解釈することであって、前記一組の参照情報前記食事の摂取、前記運動の量、前記健康状態の現状、または前記精神状態の現状の分量の絵画的描写を含む。前記方法は、ステップ（ｃ）に続いて、前記ユーザーの健康を観察することを含み得る。
【００１１】
いくつかの実施形態では、上記または本明細書の他の部分に記載される参照情報を含む、方法、システム、またはコンピュータ可読媒体では、前記参照情報は、少なくとも２つの図形的要素の選択をユーザーに提供することにより取得され、図形的要素は、サイズの分量、運動の程度、健康状態の現状、または精神状態現状の現状を描写する。
【００１２】
いくつかの実施形態では、上記または本明細書の他の部分に記載される参照情報を含む、方法、システム、またはコンピュータ可読媒体では、前記参照情報は、ユーザーの食事の摂取、運動、健康状態または精神状態に関するクエリーに対するユーザーの回答を較正するための、較正マトリクスを産生するために用いられ得る。
【００１３】
いくつかの実施形態では、上記または本明細書の他の部分に記載される対話型ディスプレーを含む、方法、システム、またはコンピュータ可読媒体では、前記対話型ディスプレーは、容量性タッチまたは抵抗膜方式タッチディスプレーである。
【００１４】
いくつかの実施形態では、上記または本明細書の他の部分に記載される参照情報を含む、方法、システム、またはコンピュータ可読媒体では、前記参照情報は、ユーザーへの食事の摂取、運動、健康状態または精神状態に関するクエリーに先立って、提示され、または取得され得る。
【００１５】
いくつかの実施形態では、上記または本明細書の他の部分に記載される参照情報を含む、方法、システム、またはコンピュータ可読媒体では、前記参照情報は、ユーザーへの食事の摂取、運動、健康状態または精神状態に関するクエリーに続いて、提示され、または取得され得る。
【００１６】
いくつかの実施形態では、上記または本明細書の他の部分に記載される参照情報を含む、方法、システム、またはコンピュータ可読媒体では、前記参照情報は、ユーザーへの食事の摂取、運動、健康状態または精神状態に関するクエリーと同時に、提示され、または取得され得る。
【００１７】
いくつかの実施形態では、上記または本明細書の他の部分に記載されるユーザーの食事の摂取、運動、健康状態または精神状態に関するクエリーに対する、ユーザーの回答を含む、方法、システム、またはコンピュータ可読媒体では、前記回答は、コンピュータシステムの記憶場所に駐在する、較正マトリクスの支援により解釈される。
【００１８】
いくつかの実施形態では、上記または本明細書の他の部分に記載されるユーザーの食事の摂取、運動、健康状態または精神状態に関するクエリーに対する、ユーザーの回答を含む、方法、システム、またはコンピュータ可読媒体では、前記回答は対話型ディスプレー上のグラフィカル・ユーザー・インターフェース（ＧＵＩ）の支援によりユーザーに提示される。
【００１９】
いくつかの実施形態では、上記または本明細書の他の部分に記載されるＧＵＩを含む、方法、システム、またはコンピュータ可読媒体では、前記ＧＵＩは、以下の適用の内の少なくとも１つの、２つの、３つの、または４つの選択を含むカスタム化可能なメニュースクリーンを含む：（ａ）ユーザーの食事に関する情報および食品、飲料または他の関連する情報を入力するためのインターフェースを含む食事の摂取の構成要素；（ｂ）ユーザーの活動習慣またはスケジュールに関連する情報を有する運動量のレベルの構成要素、およびユーザー特異的な活動情報、運動または他のユーザー特異的な活動に関する情報を入力するためのインターフェースを含む、運動量のレベルの構成要素；（ｃ）ユーザーの健康に関する情報を有し、およびクエリーに回答するための、ユーザーの健康状態に関連する情報を入力するためのインターフェースを含む健康状態構成要素；（ｄ）ユーザーの精神状態に関する情報を有し、およびクエリーに回答するための、ユーザーの精神状態に関連する情報を入力するためのインターフェースを含む精神状態の構成要素；および（ｅ）質問票較正の構成要素であって、ユーザーには、食事の摂取、運動、健康状態または精神状態に関連する図形的要素の少なくとも１つの選択、およびユーザーの図形的要素の選択が、食事の摂取分量、運動量のレベル、健康状態の現状または精神状態の現状のユーザーの認知を解釈するための較正マトリクスを構築するために用いられる。
【００２０】
いくつかの実施形態では、上記または本明細書の他の部分に記載される較正マトリクスを含む、方法、システム、またはコンピュータ可読媒体では、前記較正マトリクスは、コンピュータシステムの記憶場所上に駐在する。
【００２１】
いくつかの実施形態では、上記または本明細書の他の部分に記載されるユーザーの食事の摂取、運動、健康状態または精神状態に関するクエリーに対する、ユーザーの回答を含む、方法、システム、またはコンピュータ可読媒体では、前記回答は、前記食事の摂取、前記運動の運動量のレベル、前記健康状態の現状または前記精神状態の現状の、ユーザーの認知の内部較正マトリクスを用いて解釈される。
【００２２】
いくつかの実施形態では、上記または本明細書の他の部分に記載される内部較正マトリクスを含む、方法、システム、またはコンピュータ可読媒体では、前記内部較正マトリクスは、コンピュータシステムの記憶場所上に駐在する。
【００２３】
いくつかの実施形態では、上記または本明細書の他の部分に記載される、カスタム化可能なメニュースクリーンを含む、方法、システム、またはコンピュータ可読媒体では、前記内部較正マトリクスは、前記の適用の少なくとも２つの選択を含む。
【００２４】
いくつかの実施形態では、上記または本明細書の他の部分に記載されるシステムを含む、方法、システム、またはコンピュータ可読媒体では、前記システムは、サンプルの１つ以上の検定を遂行するために構成されたポイント・オブ・サービス・システムである。
【００２５】
いくつかの実施形態では、上記または本明細書の他の部分に記載されるポイント・オブ・サービス・システムを含む、方法、システム、またはコンピュータ可読媒体では、前記ポイント・オブ・サービス・システムは、１つ、２つの、３つの、またはより多いサンプルの検定を行うために構成される。
【００２６】
本明細書に記載される一実施形態では、コンピュータにより実行される方法は、食事の摂取、運動、健康状態、または精神状態に関する質問に対する、ユーザーの回答を較正するために提供される。この方法は：（ａ）コンピュータシステム、および前記コンピュータシステムに操作可能に連結された対話型ディスプレーの支援により、ユーザーにクエリーを提示することであって、前記クエリーは前記ユーザーの食事の摂取、運動、健康状態および／または精神状態に関係し；（ｂ）コンピュータシステムおよび対話型ディスプレーの支援により、前記ユーザーからの前記クエリーへの回答を受け取ること、および；（ｃ）コンピュータプロセッサの支援により、一組の参照情報基づいて回答を解釈することであって、前記一組の参照情報は、ユーザーに提示される、前記食事の摂取の分量、前記運動の運動量のレベル、健康状態の現状および／または精神状態の現状を示す絵画的描写を含み、前記一組の参照情報はｉ）ユーザーがその定量的な描写に最もよく適合する絵画的描写を選択すること、およびｉｉ）ユーザーの定性的描写を定量化するためにユーザーが選択した絵画的描写に付随する定量的情報をマッピングすることを含む。
【００２７】
この要旨は、以下の発明の詳細な説明で更に記載される概念の単純化された形態における選択を紹介するために提供される。この要旨は、主張される主題の主要な特徴または本質的な特性を特定することを意図しておらず、主張される主題の範囲を限定するために用いられることを意図していない。
本願明細書は、例えば、以下の項目も提供する。
（項目１）
食事の摂取、運動、健康状態、または精神状態に関する質問に対するユーザーの回答を較正するためのコンピュータにより実行される方法であって：
（ａ）コンピュータシステム、および前記コンピュータシステムに操作可能に連結された対話型ディスプレーの支援により、ユーザーにクエリーを提示することを含み、前記クエリーは前記ユーザーの食事の摂取、運動、健康状態，または精神状態に関係し；
（ｂ）コンピュータシステムおよび対話型ディスプレーの支援により、前記ユーザーからの前記クエリーへの回答を受け取ることを含み、および
（ｃ）コンピュータプロセッサの支援により、一組の参照情報に基づいて回答を解釈することを含み、前記一組の参照情報は、前記食事の摂取、前記運動の量、前記健康状態の現状、または前記精神状態の現状の分量の絵画的描写を含む方法。
（項目２）
ステップ（ｃ）に続いて、前記ユーザーの健康を観察することを更に含む、項目１に記載の方法。
（項目３）
前記参照情報が、前記ユーザーに、少なくとも２つの図形的要素を提供することにより取得され、前記図形的要素は、前記分量のサイズ、前記運動量のレベル、前記健康状態の現状、または前記精神状態の現状を絵画的に表示する、項目１に記載の方法。
（項目４）
前記参照情報が、前記ユーザーの前記クエリーへの回答を較正するための、較正マトリクスを産生するために利用される、項目１に記載の方法。
（項目５）
前記対話型ディスプレーが、容量性タッチまたは抵抗膜方式タッチディスプレーである、項目１に記載の方法。
（項目６）
前記参照情報が、前記クエリーに先立って得られる、項目１に記載の方法。
（項目７）
前記参照情報が、前記クエリーに続いて得られる、項目１に記載の方法。
（項目８）
前記参照情報が、前記クエリーと同時に得られる、項目１に記載の方法。
（項目９）
前記回答が、前記コンピュータシステムの記憶場所に存在する較正マトリクスの支援により解釈される、項目１に記載の方法。
（項目１０）
前記対話型ディスプレー上のグラフィカル・ユーザー・インターフェース（ＧＵＩ）の支援により、前記クエリーが前記ユーザーに提示される、項目１に記載の方法。
（項目１１）
前記ＧＵＩが、以下の適用の少なくとも１つの選択を含むカスタム化可能なメニュースクリーンを含む、項目１０に記載の方法：
（ａ）前記ユーザーの食事に関する情報、および食品、飲料または他の関連する情報を入力するためのインターフェースを含む、食事の摂取構成要素；
（ｂ）前記ユーザーの活動習慣またはスケジュールに関する情報を有し、およびユーザー特異的な活動情報、運動、または他のユーザー特異的な活動に関する情報を入力するためのインターフェースを含む、運動量のレベル構成要素；
（ｃ）前記ユーザーの健康に関する情報、ならびに前記ユーザーの健康状態に関するクエリーに回答し、および／または情報を入力するためのインターフェースを有する健康状態構成要素；
（ｄ）前記ユーザーの精神状態に関する情報、ならびにクエリーに回答し、および／または前記ユーザーの精神状態に関する情報を入力するためのインターフェースを有する精神状態構成要素；および
（ｅ）質問票較正の構成要素であって、前記ユーザーが、食事の摂取、運動、健康状態および／または精神状態に関する、少なくとも１つの図形的要素（テクスト、ビデオおよび／または音を含む）を提示され、ならびに前記ユーザーの図形的要素の選択が、食事の摂取の分量、前記運動の運動量のレベル、健康状態の現状、または精神状態の現状のユーザーの認知を解釈するための較正マトリクスを構築するために用いられる構成要素。
（項目１２）
食事の摂取、運動、健康状態、または精神状態に関する質問に対するユーザーの回答の較正するための、コンピュータにより実行される方法であって、以下を含む方法：
（ａ）コンピュータシステム、および前記コンピュータシステムに操作可能に連結された対話型ディスプレーの支援により、ユーザーにクエリーを提示することであって、前記クエリーは前記ユーザーの食事の摂取、運動、健康状態、または精神状態に関係し；
（ｂ）前記コンピュータシステムおよび対話型ディスプレーの支援により、前記ユーザーからの前記クエリーへの回答を受け取ること、および；
（ｃ）前記コンピュータプロセッサの支援により、一組の参照情報に基づいて回答を解釈することであって、前記一組の参照情報は、前記食事の摂取、前記運動の量、前記健康状態の現状、または前記精神状態の現状の分量の絵画的描写を含む。
（項目１３）
ステップ（ｃ）に続いて、前記ユーザーの健康を観察することを更に含む、項目１２に記載の方法。
（項目１４）
前記参照情報は、少なくとも２つの図形的要素の選択をユーザーに提供することにより取得され、図形的要素は、サイズの分量、運動の程度、健康状態の現状、または精神状態現状の現状を描写する、項目１２に記載の方法。
（項目１５）
前記対話型ディスプレーが、容量性タッチまたは抵抗膜方式タッチディスプレーである、項目１２に記載の方法。
（項目１６）
前記参照情報が、前記クエリーに先立って得られる、項目１２に記載の方法。
（項目１７）
前記参照情報が、前記クエリーに続いて取得される、項目１２に記載の方法。
（項目１８）
前記参照情報が、前記クエリーと同時に取得される、項目１２に記載の方法。
（項目１９）
前記較正マトリクスが、前記コンピュータシステムの記憶場所に駐在する、項目１２に記載の方法。
（項目２０）
前記クエリーが、前記対話型ディスプレーのグラフィカル・ユーザー・インターフェース（ＧＵＩ）の支援により、前記ユーザーに提示される、項目１２に記載の方法。
（項目２１）
前記ＧＵＩが、以下の適用の少なくとも１つの選択を含むカスタム化可能なメニュースクリーンを含む、項目２０に記載の方法：
（ａ）前記ユーザーの食事に関する情報、および食品、飲料または他の関連する情報を入力するためのインターフェースを含む食事の摂取構成要素；
（ｂ）前記ユーザーの活動習慣またはスケジュールに関する情報、およびユーザー特異的な活動情報、運動または他のユーザー特異的な活動に関する情報を入力するためのインターフェースを有する運動量のレベル構成要素；
（ｃ）前記ユーザーの健康状態に関する情報、およびクエリーに回答するための、または前記ユーザーの健康状態に関する情報を入力するためのインターフェースを有する健康状態構成要素；
（ｄ）前記ユーザーの精神状態に関する情報、およびクエリーに回答するための、または前記ユーザーの精神状態に関する情報を入力するためのインターフェースを有する精神状態構成要素；および
（ｅ）前記ユーザーが、少なくとも１つの、食事の摂取、運動、健康状態または精神状態に関連する図形的要素の選択を提示され、および前記ユーザーの図形的要素の選択が、前記ユーザーの前記食事の摂取の分量、前記運動の運動量のレベル、前記健康状態の現状、または前記精神状態の現状の認知を解釈するための、較正マトリクスを構築するために用いられる較正質問票構成要素。
（項目２２）
食事の摂取、運動、健康状態、または精神状態に関する質問に対する、ユーザーの回答を較正するための方法を実行する、機械により実行可能なコードを含む、コンピュータ可読媒体であって、前記方法が以下を含む媒体：
（ａ）コンピュータシステムおよび前記コンピュータシステムに操作可能に連結された対話型ディスプレーの支援により、クエリーをユーザーに提示することであって、前記クエリーは前記ユーザーの食事の摂取、運動、健康状態または精神状態に関し；
（ｂ）前記コンピュータシステムおよび対話型ディスプレーの支援により、前記ユーザーからの前記クエリーへの回答を受け取ること、および  （ｃ）前記コンピュータシステムの支援により、前記回答を一組の参照情報に基づいて解釈することであって、前記一組の参照情報は、前記食事の摂取の分量、前記運動の運動量のレベル、前記健康状態の現状、または前記精神状態の現状の絵画的描写を含む。
（項目２３）
前記方法が、前記方法のステップ（ｃ）に続いて、前記ユーザーの健康を観察することを更に含む、項目２２に記載のコンピュータ可読媒体。
（項目２４）
前記参照情報が、前記ユーザーに少なくとも２つの図形的要素の選択を提供することにより取得され、前記図形的要素は、前記分量のサイズ、前記運動量のレベル、前記健康状態の現状、または前記精神状態の現状を描写する、項目２２に記載のコンピュータ可読媒体。
（項目２５）
前記参照情報が、前記ユーザーの前記クエリーへの回答を較正するための、較正マトリクスを産生するために用いられる、項目２２に記載のコンピュータ可読媒体。
（項目２６）
前記対話型ディスプレーが、容量性タッチまたは抵抗膜方式タッチディスプレーである、項目２２に記載のコンピュータ可読媒体。
（項目２７）
前記参照情報が、前記クエリーに先立って得られる、項目２２に記載のコンピュータ可読媒体。
（項目２８）
前記参照情報が、前記クエリーに続いて取得される、項目２２に記載のコンピュータ可読媒体。
（項目２９）
前記参照情報が、前記クエリーと同時に取得される、項目２２に記載のコンピュータ可読媒体。
（項目３０）
前記回答が、前記コンピュータシステムの記憶場所に駐在する較正マトリクスの支援により解釈される、項目２２に記載のコンピュータ可読媒体。
（項目３１）
前記クエリーが、前記対話型ディスプレーのグラフィカル・ユーザー・インターフェース（ＧＵＩ）の支援により、前記ユーザーに提示される、項目２２に記載のコンピュータ可読媒体。
（項目３２）
前記ＧＵＩが、以下の適用の少なくとも１つの選択を含むカスタム化可能なメニュースクリーンを含む、項目３１に記載のコンピュータ可読媒体：
（ａ）前記ユーザーの食事に関する情報、および食品、飲料または他の関連する情報を入力するためのインターフェースを含む食事の摂取構成要素；
（ｂ）前記ユーザーの活動習慣またはスケジュールに関する情報、およびユーザー特異的な活動情報、運動または他のユーザー特異的な活動に関する情報を入力するためのインターフェースを有する運動量のレベル構成要素；
（ｃ）前記ユーザーの健康に関する情報、およびクエリーに回答するための、または前記ユーザーの健康状態に関する情報を入力するためのインターフェースを有する健康状態構成要素；
（ｄ）前記ユーザーの精神状態に関する情報、およびクエリーに回答するための、または前記ユーザーの精神状態に関する情報を入力するためのインターフェースを有する精神状態構成要素；および
（ｅ）前記ユーザーが、少なくとも１つの食事の摂取、運動、健康状態または精神状態に関連する図形的要素の選択を提示され、および前記ユーザーの図形的要素の選択が、前記ユーザーの前記食事の摂取の分量、前記運動の運動量のレベル、前記健康状態の現状、または前記精神状態の現状の認知を解釈するための較正マトリクスを構築するために、用いられる較正質問票構成要素。
（項目３３）
食事の摂取、運動、健康状態、または精神状態に関する質問に対するユーザーの回答を較正するためのシステムであって、以下を含むシステム：
機械により作成された図形の項目をユーザーに提示するための対話型ディスプレー；および
前記対話型ディスプレーに操作可能に連結され得るコンピュータシステムであって、前記コンピュータシステムは、前記コンピュータシステムのプロセッサの支援により、以下を含む方法を実行する機械により実行可能なコードを含む記憶場所を有する：
（ａ）前記コンピュータシステムおよび前記コンピュータシステムに操作可能に連結された対話型ディスプレーの支援により、クエリーをユーザーに提示することであって、前記クエリーは前記ユーザーの食事の摂取、運動、健康状態または精神状態に関し；
（ｂ）前記コンピュータシステムおよび対話型ディスプレーの支援により、前記ユーザーからの前記クエリーへの回答を受け取ること、および
（ｃ）前記コンピュータシステムの支援により、前記回答を一組の参照情報に基づいて解釈することであって、前記一組の参照情報は、前記食事の摂取の分量、前記運動の運動量のレベル、前記健康状態の現状、または前記精神状態の現状の絵画的描写を含む。
（項目３４）
前記方法のステップ（ｃ）に続いて、前記ユーザーの健康を観察することを更に含む、項目３３に記載のシステム。
（項目３５）
前記参照情報が、前記ユーザーの前記クエリーへの回答を較正するための、較正マトリクスを産生するために利用される、項目３３に記載のシステム。
（項目３６）
前記対話型ディスプレーが、容量性タッチまたは抵抗膜方式タッチディスプレーである、項目３３に記載のシステム。
（項目３７）
前記参照情報が、前記クエリーに先立って得られる、項目３３に記載のシステム。
（項目３８）
前記参照情報が、前記クエリーに続いて取得される、項目３３に記載のシステム。
（項目３９）
前記参照情報が、前記クエリーと同時に取得される、項目３３に記載のシステム。
（項目４０）
前記回答が、前記コンピュータシステムの記憶場所に駐在する較正マトリクスの支援により解釈される、項目３３に記載のシステム。
（項目４１）
前記記憶場所が、前記対話型ディスプレーに、グラフィカル・ユーザー・インターフェース（ＧＵＩ）を実行するための、機械により実行され得るコードを含む、項目３３に記載のシステム。
（項目４２）
前記ＧＵＩが、以下の適用の少なくとも１つの選択を含むカスタム化可能なメニュースクリーンを含む、項目４１に記載のシステム：
（ａ）前記ユーザーの食事に関する情報、および食品、飲料または他の関連する情報を入力するためのインターフェースを含む食事の摂取構成要素；
（ｂ）前記ユーザーの活動習慣またはスケジュールに関する情報、およびユーザー特異的な活動情報、運動または他のユーザー特異的な活動に関する情報を入力するためのインターフェースを有する運動量のレベル構成要素；
（ｃ）前記ユーザーの健康に関する情報、およびクエリーに回答するための、または前記ユーザーの健康状態に関する情報を入力するためのインターフェースを有する健康状態
構成要素；
（ｄ）前記ユーザーの精神状態に関する情報、およびクエリーに回答するための、または前記ユーザーの精神状態に関する情報を入力するためのインターフェースを有する精神状態構成要素；および
（ｅ）前記ユーザーが、少なくとも１つの食事の摂取、運動、健康状態または精神状態に関連する図形的要素の選択を提示され、および前記ユーザーの図形的要素の選択が、前記ユーザーの前記食事の摂取の分量、前記運動の運動量のレベル、前記健康状態の現状、または前記精神状態の現状の認知を解釈するための較正マトリクスを構築するために用いられる較正質問票構成要素。
（項目４３）
前記以下の適用の少なくとも１つに対する、１つ以上の回答が、前記ユーザーの、前記食事の摂取の分量、前記運動の運動量のレベル、健康状態の現状または精神状態の現状の認知の内部較正マトリクスを用いて解釈される、項目４２に記載のシステム。
（項目４４）
前記内部較正マトリクスが、前記コンピュータシステムの記憶場所に保存される、項目４３に記載のシステム。
（項目４５）
前記カスタム化可能なメニュースクリーンが、前記適用の少なくとも２つの選択を含む、項目４２に記載のシステム。
（項目４６）
前記カスタム化可能なメニュースクリーンが、前記適用の少なくとも３つの選択を含む、項目４５に記載のシステム。
（項目４７）
前記カスタム化可能なメニュースクリーンが、前記適用の少なくとも４つの選択を含む、項目４６に記載のシステム。
（項目４８）
前記システムが、サンプルの１つ以上の検定を遂行するために構成されたポイント・オブ・サービスシステムである、項目３３に記載のシステム。
（項目４９）
前記ポイント・オブ・サービスシステムが、サンプルに対して２つ以上の検定を行うために構成される、項目４８に記載のシステム。
（項目５０）
前記ポイント・オブ・サービスシステムが、サンプルに対して３つ以上の検定を行うために構成される、項目４９に記載のシステム。
（項目５１）
食事の摂取、運動、健康状態、または精神状態に関する質問に対する、ユーザーの回答を較正するためのコンピュータにより実行される方法であって、以下を含む方法：
（ａ）コンピュータシステムおよび前記コンピュータシステムに操作可能に連結された対話型ディスプレーの支援により、クエリーをユーザーに提示することであって、前記クエリーは前記ユーザーの食事の摂取、運動、健康状態および／または精神状態に関し；
（ｂ）前記コンピュータシステムおよび対話型ディスプレーの支援により、前記ユーザーからの前記クエリーへの回答を受け取ること、および
（ｃ）前記コンピュータシステムの支援により、前記回答を一組の参照情報に基づいて解釈することであって、前記一組の参照情報は、前記ユーザーに表示される、前記食事の摂取の分量、前記運動の運動量のレベル、前記健康状態の現状、または前記精神状態の現状を示す絵画的描写を含み、前記一組の参照情報は、ｉ）前記ユーザーが、それらの定性的描写に最もよく一致する絵画的描写を選ぶこと、およびｉｉ）ユーザーの定性的描写を定量化するために、ユーザーにより選択された絵画的描写に付随する定量的情報をマッピングすることにより生成される。
【００２８】
［参照による組み込み］
本明細書において言及される、全ての刊行物、特許および特許出願は、個々の刊行物、特許および特許出願のそれぞれが、参照により組み込まれるために、あたかも明確に、および個々に参照により示されるのと同程度に、参照により本明細書に組み込まれる。
【図面の簡単な説明】
【００２９】
図面において、
【００３０】
【図１】図１は質問票をユーザーに提供するための方法の説明的な例を示し；
【００３１】
【図２Ａ】図２Ａおよび２Ｂは、質問票をユーザーに提供するための方法の説明的な例を示し；
【図２Ｂ】図２Ａおよび２Ｂは、質問票をユーザーに提供するための方法の説明的な例を示し；
【００３２】
【図３】図３は、較正マトリクスの説明的な例を示し；
【００３３】
【図４Ａ】図４Ａおよび４Ｂは、他の機器と通信状態にある、ポイント・オブ・サービス機器を有するシステムの説明的な例を示し；
【図４Ｂ】図４Ａおよび４Ｂは、他の機器と通信状態にある、ポイント・オブ・サービス機器を有するシステムの説明的な例を示し；
【００３４】
【図５】図５は、図形のユーザーインターフェースの説明的な例を示し；
【００３５】
【図６】図６は、ユーザーの食事の摂取に関する情報を収集するための、調査を有するグラフィカル・ユーザー・インターフェースのスクリーンショットの説明的な例を示し；
【００３６】
【図７】図７は、「ハム、スライスされた」をユーザーが選んだ場合のグラフィカル・ユーザー・インターフェースのスクリーンショットの説明的な例を示し；
【００３７】
【図８】図８は、図７においてユーザーにより提供された情報を解釈するための参照質問のスクリーンショットの説明的な例を示し；
【００３８】
【図９】図９は、ユーザーの自転車に乗る活動に関する情報を収集するための調査を有するグラフィカル・ユーザー・インターフェースのスクリーンショットの説明的な例を示し；
【００３９】
【図１０】図１０は、「中程度」の強度を示すスクリーンショットの説明的な例を示し；
【００４０】
【図１１】図１１は、図１０においてユーザーにより提供された情報を解釈するための参照質問のスクリーンショットの説明的な例を示し；
【００４１】
【図１２】図１２は、ユーザーの状態に関する情報を収集するための、調査を有するグラフィカル・ユーザー・インターフェースのスクリーンショットの説明的な例を示し；および
【００４２】
【図１３】図１３は、図１０においてユーザーにより提供された情報を解釈するための参照質問のスクリーンショットの説明的な例を示す。
【発明を実施するための形態】
【００４３】
［発明の詳細な記載］
本明細書において、様々な実施形態が示されおよび記載されるが、当業者にとっては、そのような実施形態は、例としてのみ提供されていることが自明であろう。当業者にとっては、本明細書において提供される、システムおよび方法を逸脱することなく、膨大な数の変形、変更、および置換を行い得る。
【００４４】
本明細書において用いられる、用語「健康状態」は、生理学的な状態および／または精神状態を指す。精神状態は、被験者のムードまたは精神状態（例えば、うつ病）  を含み得る。
【００４５】
本明細書において使用される用語「ポイント・オブ・サービスシステム」は、被験者の場所において、または被験者の場所の近くで、サービス（例えば検査、監視、治療、診断、ガイダンス、サンプル収集、ＩＤ確認、医療サービス、非医療サービス等）を提供することのできるシステムを称する。ある場合には、ポイント・オブ・サービスシステム  は、患者の自宅、または勤務先、グローサリー・ストア、もしくはドラッグ・ストアなどの所定の場所でサービスを提供する。ポイント・オブ・サービスシステム  は、１つ以上のポイント・オブ・サービス機器を含み得る。
【００４６】
本明細書において用いられる、用語「被験者」は、その健康が、観察されつつあるか、または治療または観察を必要とする個人を称し得る。いくつかの例では、被験者は、ポイント・オブ・サービスシステムのケアの下に、またはポイント・オブ・サービスシステムのケアにより影響を受け、治療を受けているか、または治療の必要がある個人である。被験者は患者を含む。ある場合には、前記被験者ヒトの患者である。被験者は、ポイント・オブ・サービス機器（またはシステム）のユーザーであり得るか、またはポイント・オブ・サービス機器に付随するコンピュータシステムのユーザーであり得る。ある場合には用語「被験者」および「ユーザー」は互換可能に用いられ得る。
【００４７】
本明細書において用いられる、用語「クラウドコンピューティング」（または「クラウド」）は、インターネットなどのネットワークを通じ、共有されたリソース、ソフトウエアおよび情報が、ユーティリティとしてのコンピュータおよび他の機器に提供されるシステムを指す。クラウドは、分散型ネットワークを含み得る。共有されるリソースは、分散された様式で提供されるが、操作可能に互いに連結された、サーバーなどの、様々なコンピュータシステムを含み得る。
【００４８】
本明細書において用いられる、用語「食事の摂取」は、ユーザーにより摂取（または消費）されるか、またはユーザーが摂取することを計画する物質（固体、液体、または半固体）を指す。食事の摂取の分析は、ある場合には、摂取される、薬剤（または薬物治療）、栄養補助食品（例えば、ビタミン）または摂取されるそれらの代謝物、摂取されるコレステロール、摂取される脂質、摂取されるタンパク質、摂取される繊維、摂取される炭水化物、摂取される塩、および／または摂取される液体に関する情報を含み得る。食事の摂取の分析は、食品製品の組成物に関する、バーコード化された情報もしくはダウンロード可能な情報、または食事などの摂取された食品および／または液体の写真により支援され得る。
【００４９】
本明細書において用いられる、用語「運動」は、ユーザーの身体的なフィットネスを増強または維持することを助けるユーザーの活動を指す。ユーザーの運動は、スポーツ活動、練習の習慣（例えば、ジョギング、ランニング）、肉体労働、および他のトレーニング活動を指す。
【００５０】
本明細書において用いられる、用語「健康状態」は、被験者の健康状態を指す。健康状態は、被験者の機能性および／または代謝性の効率のレベルを含み得る。
【００５１】
本明細書において用いられる、用語「精神状態」は、制限なしに、被験者の心理的状態および／または感情を含む、被験者の心の状態を指す。
【００５２】
いくつかの実施形態では、本明細書で提供されるものは、質問票の質問に対するユーザーの回答の容易な評価を可能にする、システムおよび方法である。本明細書で提供されるシステムにより実行され得る、本明細書で提供される方法は、質問に対するユーザーの回答の解釈の正確性を改善するために、質問票（または調査）において課せられた質問に対するユーザーの回答の較正を可能にする。ある場合には、このことは、システムが、ユーザーが、量または質などの特定の回答により、何を意味したのかを決定することを可能にする。
【００５３】
いくつかの実施形態では、質問に対する回答における、例えば、血圧、脈拍数、酸素飽和度、電気生理学、虹彩の拡張、および皮膚伝導度などの、様々な生理学的パラメーターにおける変化を測定する生理学的データを、ユーザーが集めることを可能にするシステムが提供される。そのような生理学的データは、ユーザーから収集された、質問票の質問を補完し得る。そのような情報は、ユーザーの健康を監視するために、またはある場合にはユーザーを診断および／または治療するために用いられ得る。
【００５４】
（質問票の方法）
いくつかの実施形態では、本明細書で提供されるものは、１つ以上の質問に対するユーザーの回答を較正するための方法である。前記質問票は、１つ以上の参照質問へのユーザーの回答の支援により解釈される１つ以上の質問を含む。ある場合には、前記参照質問は、その後に質問票に提供される質問に対するユーザーの回答を解釈するために用いられる、較正マトリクスを構築するために用いられる。ある場合には、前記質問票はユーザーの食事の摂取、運動、健康状態および／または精神状態に関する質問を含む。
【００５５】
いくつかの実施形態では、食事の摂取、運動、健康状態、または精神状態に関する質問に対するユーザーの回答を較正するための、コンピュータにより実行される方法は、コンピュータシステムおよび前記コンピュータシステムに操作可能に連結された対話型ディスプレーの支援により、ユーザー（または被験者）に、クエリーを提示することを含む。前記クエリーはユーザーの食事の摂取、運動、健康状態および／または精神状態に関係することができ、またはある場合には前記クエリーは、被験者の睡眠（例えば、睡眠パターン）、ムード、運動歴、ストレスレベル、既往歴、ホルモンの状況、および／または月経周期などのユーザーに関する他の因子に関係することができる。次に、コンピュータシステムおよび対話型ディスプレーの支援により、前記クエリーへの回答がユーザーから受け取られる。次いでプロセッサが、一組の参照情報に基づいて回答を解釈するために用いられる。いくつかの実施形態では、前記一組の参照情報は、食事の摂取の分量、前記運動の運動量のレベル、健康状態の現状および／または精神状態の現状の提示を含む。前記提示は絵画的、可聴的、またはビデオなどのそれらの組み合わせであり得る。ある場合には、前記一組の参照情報は、食事の摂取の分量、前記運動の運動量のレベル、健康状態の現状お
よび／または精神状態の現状の絵画的描写を含む。
【００５６】
ある場合には、前記参照情報は、少なくとも２、または３、または４、または５、または６、または７、または８、または９、または１０、または１５、または２０、または３０、または４０、または５０、または１００個の図形的要素の選択をユーザーび提供することにより取得される。前記図形的要素は、前記分量のサイズ、前記運動量のレベル、前記健康状態の現状、および／または前記精神状態の現状を描写し得る。
【００５７】
いくつかの実施形態では、前記参照情報は、前記クエリーに先立って得られる。すなわち、前記クエリーを実行する機器またはシステムが、実際のクエリーに先立ち前記ユーザーに参照質問を提示する。一実施形態では、前記参照情報は前記クエリーに続いて得られる。そのような場合には、前記クエリーを実行する機器またはシステムが、実際のクエリーの後に前記ユーザーに参照質問を提示する。一実施形態では、前記参照情報は、前記クエリーと同時に得られる。そのような場合には、前記クエリーを実行する機器またはシステムが、実際のクエリーおよび前記参照質問を同時に（例えば、同じページ内で）提示する。
【００５８】
いくつかの実施形態では、食事の摂取、運動、健康状態、または精神状態に関する質問に対するユーザーの回答を較正するためのコンピュータにより実行される方法は、コンピュータシステムおよび前記コンピュータシステムに操作可能に連結された対話型ディスプレーの支援により、クエリーをユーザーに提示することを含み、前記クエリーは、前記ユーザーの食事の摂取、運動、健康状態および／または精神状態に関する。次に、前記コンピュータシステムおよび対話型ディスプレーの支援により、前記クエリーへの回答が前記ユーザーから受け取られる。次に、前記コンピュータシステムの支援により、前記回答が、一組の参照情報を有する較正マトリクスに基づいて解釈される。前記参照情報は、食事の摂取の分量、前記運動の運動量のレベル、健康状態の現状および／または精神状態の現状の絵画的描写の支援により作成され得る。
【００５９】
図１は、本明細書において提供される、質問票をユーザーに提供するための方法１００である。前記質問票は、本明細書において提供されるシステムおよび機器の支援により実行され得る。システムまたは機器は、前記方法１００を実行する機械による読み取りが可能なコードを実施するための、１つ以上のプロセッサを含む。前記機械による読み取りが可能なコードは、前記システムまたは機器の記憶場所内に保存される。ある場合には、前記機械による読み取りが可能なコードは、遠隔のシステムに保存され、およびある場合には、前記遠隔のシステム中で実行される。
【００６０】
第一のステップ１０１では、前記質問票を実行するシステムは、１つ以上の質問を有するクエリー（例えば、「今日の気分はいかがですか？」（Ｈｏｗ  ａｒｅ  ｙｏｕ  ｆｅｅｌｉｎｇ  ｔｏｄａｙ？）をユーザーに提示する。前記質問は、図形の、テキストの、音声の、および／または前記ユーザーに質問を問う俳優またはアニメーションなどのビデオの要素の支援により、前記ユーザーに提示され得る。これらの要素は、前記方法１０を実行するシステムまたは機器の対話型ディスプレーの支援により前記ユーザーに提供され得る。次に、第二のステップ１０２において、前記ユーザーは、例えば、「気分は中程度に良いです」（Ｉ  ａｍ  ｆｅｅｌｉｎｇ  ｍｏｄｅｒａｔｅｌｙ  ｗｅｌｌ）という回答を前記方法１００を実行するシステムに入力する。前記ユーザーは、対話型ディスプレーまたはタッチスクリーン（例えば、容量性タッチスクリーン、抵抗膜方式タッチスクリーン）、音声活性化および／またはジェスチャーなどの、前記システムの他の入力機器を用いて前記回答を入力し得る。次に、第三のステップ１０３では、前記システムは、１つ以上の参照情報に基づいて前記回答を解釈する。ある場合には、前記システムは、前記第二のステップ１０２において、前記ユーザーの回答により、前記ユーザーが何を意味したのかを決定する。一実施例では、前記システムは、前記ユーザーが前記気分の文脈において「中程度に良い」（ｍｏｄｅｒａｔｅｌｙ  ｗｅｌｌ）により、何を意味したのかを解釈する。次に、第四のステップ１０４において、前記システムは、前記質問票において、前記ユーザーに提示するための追加的な質問があるか否かを決定する。ステップ１０１〜１０３は、次いで前記ユーザーに提示するための必要に応じて反復され得る。
【００６１】
いくつかの実施形態では、前記ユーザーの回答を解釈することは、前記ユーザーに参照質問を提供すること、および前記参照質問に対する回答を前記ユーザーから受け取ることを含む。図１を参照しながら、前記第三のステップ１０３の間に、前記システムは、前記ユーザーに課せられた参照質問について、前記ユーザーから受け取られた１つ以上の回答を用いて、前記ユーザーの回答を解釈する。ステップ１０５において、前記ユーザーは参照質問（例えば、「どの絵が、「中程度に良い」というムードを、最もよく表していますか？」（（Ｗｈｉｃｈ  ｐｉｃｔｕｒｅ  ｍｏｓｔ  ｃｌｏｓｅｌｙ  ａｐｐｒｏｘｉｍａｔｅｓ  ｔｈｅ  ｍｏｏｄ  ‘ｍｏｄｅｒａｔｅｌｙ  ｗｅｌｌ’？））を提示される。次に、ステップ１０６において、前記ユーザーは、前記選択肢からの絵を選択する。いくつかの実施形態では、前記ユーザーの食事の摂取、運動、健康状態および／または精神状態に関する様々なタイプの質問に対するユーザーの回答の評価を得るため、または前記ユーザーの回答１０３を解釈するための追加的な回答を収集するなどのために、ステップ１０５および１０６が反復される。前記システムは、次いで、前記参照質問に対するユーザーの回答を、前記ユーザーの回答１０３を解釈するために用いる。
【００６２】
前記参照（または較正）質問は、ユーザーの回答を解釈するために用いられ得る。いくつかの実施形態では、前記参照情報は、食事の摂取の分量、運動の運動量のレベル、健康状態の現状および／または精神状態の現状の、絵画的描写を含み得る。前記ユーザーに対しては、少なくとも１、２、３、４、５、６、７、８、９、１０、２０、３０、４０、５０、１００、またはそれより多い回数の参照質問が、質問票のセッション（“セッション”）当たりに、他の全てのセッション当たりに、セッションのグループごとの一回に、または１、２、３、４、５、６、７、８、９、１０、２０、３０、もしくはそれより多い日数ごとなど、周期的に提示されることができる。
【００６３】
図２Ａおよび２Ｂは、質問票をユーザーに提示するための方法の説明的な例を示す。図２Ａにおいて、第一のスクリーンでは、前記ユーザーには、「あなたのリンゴのサイズはどれでしたか？」という、質問２０１が提示される。前記ユーザーには３つの選択肢２０２である、「小さい」、「中程度」、および「大きい」が提示される。前記ユーザーは「中程度」を選択する。図２Ｂへの参照により、第二のスクリーンにおいて、前記システムは、前記ユーザーに、「どの絵が最もよく中程度のリンゴを表していますか？」参照（または較正）質問２０３を提示する。いくつかの実施形態では、前記較正質問は、分量のサイズなどの、前記ユーザーの定量的、または定性的因子の認知を評価する。前記システムは、前記ユーザーにリンゴの５つの画像も提示し、少なくともそのうちの１つが、前記用語「中程度」の前記ユーザーの定義に一致する。代替的に、前記システムは、第一に、前記ユーザーに参照質問２０３を提示し、および続いて前記ユーザーに質問２０１を提示できる。別の代替的な方法として、前記参照質問２０３および質問２０１は同時に（例えば、同じスクリーン上に）提示され得る。前記ユーザーの前記画像２０４のうちの１つの選択は、前記システムが、前記ユーザーの前記質問２０１に対する回答を解釈することを可能にする。いくつかの実施形態では、このことは、前記ユーザーの食事に関する回答以外などの回答を正規化するために用いられることができる。前記画像２０４のそれぞれの下にある数字は、前記画像２０４の数的な表現であり、前記ユーザーにより、隠されることができる。例えば、数字“３”は、真ん中のリンゴを表す。
【００６４】
図２Ｂは、リンゴのサイズを較正するために５つの画像を提供するが、前記較正の質問は、前記ユーザーに少なくとも１、２、３、４、５、または６、または７、または８、または９、または１０、２０、３０、４０、またはそれより多いサイズの異なるリンゴなどの、任意の数のリンゴを提示し得る。図２Ａおよび２Ｂは、リンゴの文脈で語られているが、図２Ａおよび２Ｂは、食品または摂取可能な物質、運動、健康状態および精神状態などの他の文脈に適用され得る。
【００６５】
いくつかの実施形態では、対象の画像がスクリーン上に提示されることができ、前記スクリーン上の画像は、画像として提示される、実際の対象の寸法と同じ（例えば、リンゴの真の高さが８ｃｍである場合、そのリンゴのスクリーン上の画像も８ｃｍの高さを有する）、高さ、長さ、および／または幅を有する。いくつかの実施形態では、対象の画像が、スクリーン上に、同じ尺度の標準サイズの参照対象物の画像（例えばテニスボール、米国の２５セント硬貨、ものさし）の画像と共に提示され得る。スクリーン上に同じ尺度で、参照対象物の画像とともに、標準のサイズの対象物の画像を提示することにより、ユーザーはスクリーン上の特定のサイズの画像を、スクリーン上の前記画像に対応する、前記実際の対象物の寸法に関連付けることができる。例えば、もしスクリーン上の前記対象物の画像が、前記対応する実際の対象物の寸法と異なる高さ、長さ、および／または幅を有する場合（例えば対象物の真の高さが１０ｃｍであるが、スクリーン上の対象の画像が２ｃｍの高さしか持たない場合）に、このことは有用であり得る。
【００６６】
いくつかの実施形態では、ユーザーには参照質問が１回だけ提示される。前記参照質問に対するユーザーの回答は、後続する質問票の質問において用いられる。そのようなものとして、それぞれの場合において、質問票の質問の後に、必ずしも較正質問がなくてもよい。
【００６７】
ある場合には、前記システムは、後続する質問票の質問に対する、ユーザーの回答を解釈するために、較正質問への回答を利用する。前記システムは、前記較正回答の正確度を評価するために、前記ユーザーに、較正質問を所定の間隔で、または前記質問票の間の疑似乱数点で質問できる。
【００６８】
前記システムは、特定の範疇内の参照質問（例えば、食事の摂取、運動、健康状態または精神状態）をユーザーに提示し、および前記ユーザーから回答を受け取る。このことは範疇に特異的な較正を提供する。前記同じ範疇内の後続する質問票の質問のために、前記システムは、ユーザーの回答を解釈するために、前記範疇特異的な較正を用いる。
【００６９】
較正質問および／またはユーザー（または被験者）が、較正質問の中から選ぶための選択肢は、以前の較正または質問票の質問に対する前記ユーザーの回答に基づいて固定され得るか、または前記ユーザーの回答に基づいて変化され得る。ある場合には、較正質問のために、前記ユーザーに提示される回答の選択は、前記ユーザーの質問票の質問に対する回答の関数である（例えば、実施例３を参照されたい）。
【００７０】
ある場合には、較正質問は、前記ユーザーの内部一貫性を評価するために用いられる。このことは、前記システムが、前記ユーザーが、質問票の質問へ回答した中で、他の質問への前記ユーザーの回答に矛盾する例に対して、フラッグを掲げることを許容する。前記システムは、フラッグの付けられた回答をより頻繁に較正し得る。他の状況では、前記較正質問は、質問に対する回答に対応する画像の選択の必要性を除外し得る。例えば、図２Ａおよび２Ｂを参照し、前記システムが較正されるとすぐに、図２Ｂの較正は、省略されることができ、および前記システムは、前記ユーザーが「中程度」により何を意味したのかを決定するために較正質問に対する前の回答を用い得る。
【００７１】
ある場合には、前記システムは、較正質問に対する回答を有する較正マトリクスを構築および／または更新する。前記較正マトリクスは、食品項目または活動レベルなどの較正項目を有する列、およびいくつかの例を指名するための、量または運動量に対する行を含む。質問への絵画的回答（例えば、図２Ｂを参照されたい）は、数により表現され得る。例えば、小さいリンゴおよび中程度のリンゴは、それぞれ、数の１および３で表わされ得る。前記システムは、食事の摂取、運動、健康状態および精神状態に関する質問などの、異なるタイプの質問のための複数の較正マトリクスを含み得る。較正マトリクスは、前記システムの記憶場所に保存され得る。
【００７２】
いくつかの実施形態では、較正マトリクスは、前記システムのハードドライブまたはデータ記憶装置（例えば、データベース）などの、前記システムの記憶場所に配置され得る。前記較正マトリクスは、従って内部較正マトリクスであり得る。一実施形態では、前記較正マトリクスは、較正マトリクスであり、すなわち遠隔のコンピュータシステムの記憶場所に配置され、ネットワークを用いて前記システムにアクセスされ得る。一実施例では、前記較正マトリクスは、前記クラウドに保存され、および有線または無線ネットワーク接続性を用いて、前記システムによりアクセスされ得る。
【００７３】
図３は、本明細書において提供される較正マトリクス３００の実施例を示す。前記マトリクスは、列および前記列に直交する行、ならびに列および行の交差点にセルを有する。前記マトリクス３００は、食事の摂取の範疇のためのものであり、ユーザーにより摂取される食品項目に関連できる。前記行は、食品項目の可能なサイズに対応する値、すなわち「小さい」、「中程度」、および「大きい」を有する。前記列は、前記ユーザーにより選択された、前記サイズに対応する画像の数的な表現を有する。例えば、「リンゴ」に対する「小さい」の行にあるセルは数１を有し、図２Ｂ中の一番左の画像に対応し、および「中程度」の行にあるセルは、数３を有し、図２Ｂ中の真ん中の画像に対応する。
【００７４】
ある場合には、前記システムは、前記ユーザーに、所定のサイズの対象物の直接の比較を提供し、これは較正データを保管するために用いられることができる。一実施例では、前記システムは、前記ユーザーに、２つの項目のうちの、より大きい（またはより小さい）ものを選択するように要求する。
【００７５】
複数のマトリクスが、様々な範疇における質問に対するユーザーの回答を較正するために用いられ得る。較正マトリクスは、前記ユーザーの精神状態（例えば、ムード）、運動（例えば、活動のレベル）および／または健康状態（例えば、気分が悪い）に関する質問票の質問に対するユーザーの回答を較正するために用いられ得る。較正マトリクスは、本明細書において提供される範疇には限定されない；他の範疇較正マトリクスが提供され得る。
【００７６】
本明細書に記載される質問票（または調査）は、中央処理装置（ＣＰＵ）などの、１つ以上のプロセッサを有する任意のコンピュータシステム上で遂行され得る。ある場合には、質問票は、ある場合には、被験者のサンプルを処理するために構成されたポイント・オブ・サービス機器（下記を参照されたい）により遂行される。他の場合には、質問票は、ポイント・オブ・サービス機器ではないが、前記ポイント・オブ・サービス機器と通信状態にあるか、または前記ポイント・オブ・サービス機器と通信状態にあるサーバーと、ネットワークなどを介して通信状態になり得る、コンピュータシステムにより遂行される。
【００７７】
（システム）
いくつかの実施形態では、本明細書で提供されるものは、質問票（または調査）を実行するためのシステムである。システムは、ポイント・オブ・サービスシステム（または機器）であり得る。いくつかの実施形態では、食事の摂取、運動、健康状態、または精神状態に関する質問に対するユーザーの回答を較正するためのシステムは、対話型ディスプレー、および前記対話型ディスプレーに操作可能に連結されるコンピュータシステムを含む。例えば、前記対話型ディスプレーは、前記コンピュータシステムのバス、またはネットワークの支援により、前記コンピュータシステムと通信状態になり得る。前記対話型ディスプレーは、機械により作成された図形の項目を、ユーザーに提示するために構成される。前記コンピュータシステムは、本明細書で提供される前記コンピュータシステム、方法のプロセッサの支援により実行する、機械により実行可能なコードを含む、記憶場所を含む。
【００７８】
一実施例では、前記記憶場所は、機械により実行可能なコードを含み、このコードは、前記コンピュータシステムおよび対話型ディスプレーの支援により、クエリーをユーザーに提示することを含む方法を実行し、前記クエリーは、前記ユーザーの食事の摂取、運動、健康状態および／または精神状態に関する。次に、前記コンピュータシステムおよび対話型ディスプレーの支援により、前記クエリーへの回答が前記ユーザーから受け取られる。前記コンピュータシステムの支援により、前記回答が、一組の参照情報に基づいて解釈される。前記一組の参照情報は、食事の摂取の分量、前記運動の運動量のレベル、健康状態の現状、および／または精神状態の現状の絵画的描写を含む。
【００７９】
前記対話型ディスプレーは、容量性タッチまたは抵抗膜方式タッチディスプレーであり得る。前記ディスプレーは、前記ユーザーからバイオメトリック情報を収集する能力などの機能性を有し得る。例えば、前記ディスプレーは、前記ユーザーの片手または両手を介した２点タッチ（例えば、前記ユーザーが２本の指を前記ディスプレー上に置く）の支援により、前記ユーザーの体脂肪率を測定するために用いられ得る。前記ディスプレーは、前記被験者の状態または健康状態を特定することを助け得る、前記ユーザー（または被験者）に特異的な因子を検知するための化学的または電気的センサーも有し得る。
【００８０】
いくつかの実施形態では、ポイント・オブ・サービス機器は、ユーザーインターフェース（ＵＩ）を有するディスプレーを含み得る。ある場合には、前記ユーザーインターフェースは、被験者が機器と相互作用することを可能にし得る、グラフィカル・ユーザー・インターフェース（ＧＵＩ）を介して、ユーザーに提供される。前記ディスプレーは、従って対話型ディスプレーであり得る。ディスプレーおよび／またはユーザーインターフェースの例としては、タッチスクリーン、ビデオディスプレー、ＬＣＤスクリーン、ＣＲＴスクリーン、プラズマスクリーン、光源（例えば、ＬＥＤ、ＯＬＥＤ）、ＩＲＬＥＤに基づく表面の周囲をスパンする、または表面を横断してスパンする機器、モジュールまたは他の構成要素、ｐｉｘｅｌｓｅｎｓｅ（登録商標）に基づく表面、赤外線カメラまたは他の捕捉技術に基づく表面、投射器、投射されたスクリーン、ホログラム、キー、マウス、ボタン、ノブ、滑動機構、ジョイスティック、音声構成要素、音声活性化、スピーカー、マイクロフォン、カメラ（例えば、２Ｄ、３Ｄカメラ）、多重カメラ（例えば、身振りおよび動作を捕捉するために有用であり得る）、スクリーンが組み込まれたメガネ／コンタクトレンズ、ビデオ捕捉、触覚インターフェース、温度センサー、身体センサー、ボディ・マス・インデックス・センサー、動作センサー、および／または圧力センサーが挙げられる。ディスプレーおよび／またはユーザーインターフェースに関する、本明細書における、いかなる記載も、任意のタイプのディスプレーおよび／またはユーザーインターフェースに適応され得る。
【００８１】
ディスプレーは、を、前記機器（例えば、ポイント・オブ・サービス機器）のユーザーに提供し得る。ユーザーインターフェースは、前記オペレーター（またはユーザー）に情報を提供することができ、および／または前記オペレーター（またはユーザー）から、情報を受け取ることができる。いくつかの実施形態では、そのような情報は、視覚的情報、音声的情報、感覚的情報、熱的情報、圧力情報、動作情報、または任意の他のタイプの情報を含む。音、ビデオ、および色分けされた情報（そのモジュールが使用中であることを示す赤色ＬＥＤなど）が、ポイント・オブ・サービスシステムまたは情報システムを使用するユーザーにフィードバックを提供するために用いられ得るか、またはシステムに、タッチまたは他の方法を介して連結するために用いられ得る。いくつかの実施形態では、ユーザーインターフェース、または前記機器の他のセンサーは、前記機器に誰かが近づくことを検出し、および前記機器が「起床する」（すなわち、起動される）ことを引き起こす。前記ユーザーインターフェース、または他のセンサーは、ユーザーが検出されない場合は、前記システムを「眠らせる」ためにも用いられ得る。
【００８２】
ある場合には、グラフィカル・ユーザー・インターフェース（ＧＵＩ）が、以下の適用の少なくとも１つの選択を含む対話型スクリーンの上に提示される：（ａ）前記ユーザーの食事に関する情報、および食品、飲料または他の関連する情報を入力するためのインターフェースを含む、食事の摂取構成要素；（ｂ）前記ユーザーの活動習慣またはスケジュールに関する情報を有し、およびユーザー特異的な活動情報、運動または他のユーザー特異的な活動に関する情報を入力するためのインターフェースを含む、運動量のレベル構成要素；（ｃ）前記ユーザーの健康に関する情報を有し、および前記ユーザーの健康状態に関するクエリーに回答し、および／または情報を入力するためのインターフェースを有する健康状態構成要素；（ｄ）前記ユーザーの精神状態に関する情報、およびクエリーに回答し、および／または前記ユーザーの精神状態に関する情報を入力するためのインターフェースを有する精神状態構成要素；および（ｅ）質問票較正の構成要素であって、前記ユーザーが、食事の摂取、運動、健康状態および／または精神状態に関する、少なくとも１つの図形的要素（テクスト、ビデオおよび／または音を含む）を提示され、および前記ユーザーの図形的要素の選択が、食事の摂取の分量、前記運動の運動量のレベル、健康状態の現状、または精神状態の現状のユーザーの認知を解釈するための較正マトリクスを構築するために用いられる構成要素。ある場合には、前記ＧＵＩはカスタム化可能なメニュースクリーンを含み、それはユーザーまたは他の個人（例えば、医師などの医療提供者）が、前記メニュースクリーンをカスタマイズすることを可能にする。
【００８３】
本明細書で提供される、ポイント・オブ・サービスシステム（または機器）は、その両方が、参照によりその全体が全ての目的で、本明細書に組み込まれる、Ｈｏｌｍｅｓらの米国特許出願第１３／２４４，９４７号、および“ＳＹＳＴＥＭＳ  ＡＮＤ  ＭＥＴＨＯＤＳ  ＦＯＲ  ＭＵＬＴＩ−ＡＮＡＬＹＳＩＳ”と題された、２０１２年９月２５日に出願された、ＰＣＴ出願第ＰＣＴ／ＵＳ２０１２／０５７１５５号に記載されたもののようであることができる。ポイント・オブ・サービスシステムは、１以上の、２以上の、３以上の、４以上の、５以上の、１０以上の、２０以上の、３０以上の、４０以上の、５０以上の、または１００以上の検定をサンプルについて遂行し得る。ある場合には、ポイント・オブ・サービスシステムは、サンプルの処理、後続するデータ処理、およびある場合には、データ分析を遂行し得る。他の場合には、ポイント・オブ・サービスシステムは、サンプル処理を遂行することができ、ならびにデータ処理、およびある場合には、分析のために前処理されたデータを、遠隔のシステムに送信し得る。
【００８４】
図４Ａは、ディスプレー４０１を有するポイント・オブ・サービスシステム（または機器）４００の実施例を図示する。前記ディスプレーは、グラフィカル・ユーザー・インターフェース（ＧＵＩ）などの、ユーザーインターフェース４０２を被験者に提供するために構成される。前記ディスプレー４０１は、抵抗膜方式、または用量タッチディスプレーなどのタッチディスプレーであり得る。前記ポイント・オブ・サービスシステム４００は、例えば、パーソナルコンピュータ、スマートフォン（例えば、Ａｐｐｌｅ（登録商標）ｉＰｈｏｎｅ（登録商標）、Ａｎｄｒｏｉｄ使用可能電話）、タブレット（例えば、Ａｐｐｌｅ（登録商標）ｉＰａｄ（登録商標））、またはサーバなどの、遠隔の機器４０３に通信するために構成される。前記ポイント・オブ・サービスシステム４００は、中央処理装置（ＣＰＵ）４０４、メモリ４０５、通信モジュール（またはインターフェース）４０６、ハードドライブ４０７およびデータレポジトリ４０８を有する。前記メモリ４０５、通信モジュール４０６、ハードドライブ４０７およびデータレポジトリ４０８は、操作可能に前記ＣＰＵ４０４に連結される。前記データレポジトリ４０８は、メモリ、およびハードドライブを含み得る。ある場合には、前記データレポジトリ４０８は省略される。いくつかの実施形態では、前記ポイント・オブ・サービスシステム４００は、画像およびビデオ捕捉のためのカメラ４０９（またはある場合には３次元画像化のための複数のカメラ）を含む。前記ポイント・オブ・サービスシステム４００は、音の捕捉のために録音機を含み得る。画像および／またはビデオが、前記ディスプレー４０１の支援により被験者に提供され得る。一実施形態では、前記カメラ４０９は、動作検知入力機器（例えば、Ｍｉｃｒｏｓｏｆｔ（登録商標）Ｋｉｎｅｃｔ（登録商標））であってよい。
【００８５】
前記カメラ４０９は、２次元カメラまたは３次元カメラであり得る。前記カメラ４０９は、音声に加えて、静止画像および／またはビデオフィードを捕捉し得る。ある場合には、前記カメラ４０９は、赤外線放射（ＩＲ）を収集するために適合され、および例えば、前記カメラ４０９から採集されたユーザーの光を体温に相関づける熱的画像化カメラである。ある場合には、前記カメラ４０９は、計算カメラ（例えば、フランケンカメラ）などの無レンズカメラである。
【００８６】
前記ポイント・オブ・サービスシステム４００は、本明細書に記載される質問票の方法を実行するために構成され得る。例えば、前記ポイント・オブ・サービスシステム４００は、図１において提供される方法１００を実行し得る。質問票の質問は、前記ポイント・オブ・サービスシステム４００から、ネットワークおよび前記遠隔の機器４０３のユーザーインターフェース（例えば、ＧＵＩ）などの支援により遠隔的にユーザーに提示され得る。
【００８７】
図４Ｂを参照し、前記ポイント・オブ・サービスシステム４００は、イントラネットおよび／またはインターネットであり得るネットワーク４１０を介して、他の機器とネットワーク通信状態にあるために構成される。前記図示された実施例では、前記ポイント・オブ・サービスシステム４００は、前記ポイント・オブ・サービスシステム４００から遠隔に配置された第一のコンピュータシステム４１１、第二のコンピュータシステム４１２および第三のコンピュータシステム４１３とネットワーク通信状態にある。前記コンピュータシステム４１１、４１２および４１３の１つ以上が、他のユーザーが遠隔的に前記ポイント・オブ・サービスシステム４００にアクセスすることを可能にする。ある場合には、前記コンピュータシステム４１１、４１２および４１３の１つ以上は、ユーザー情報を保存するデータレポジトリである。ある場合には、前記コンピュータシステム４１１、４１２および４１３の１つ以上は、前記ポイント・オブ・サービスシステム４００から、遠隔的にデータ処理（例えば質問票への回答の分析）を可能にするために構成される。
【００８８】
前記ポイント・オブ・サービスシステム４００は、前記ポイント・オブ・サービスシステム４００の前記通信モジュール４０６の支援により、前記ネットワーク４１０ならびに前記コンピュータシステム４１１、４１２および４１３と通信し得る。前記通信モジュール４０６は、前記ネットワーク４１０と、それぞれ有線または無線通信をするための、有線または無線インターフェースを含み得る。
【００８９】
ある場合には、前記ポイント・オブ・サービスシステム４００は、無線ネットワークアクセスポイント４１４を介して前記ネットワーク４１０と通信するために構成される。前記無線ネットワークアクセスポイント４１４は、例えば、２Ｇ、３Ｇ、４Ｇ、ロング・ターム・エボリューション（ＬＴＥ）、ＷｉＦｉ、またはＢｌｕｅｔｏｏｔｈ（登録商標）などの様々な無線通信のモードを用いる通信のために構成される。前記システム４００の通信モジュール４０６は、前記システム４００が無線的に前記無線ネットワークアクセスポイント４１４と通信することを可能にし得る。
【００９０】
前記遠隔の機器４０３は、前記ポイント・オブ・サービスシステム４００と、前記通信モジュール４０６の中に含まれ得る、前記ポイント・オブ・サービスシステム４００の無線インターフェースを介して通信し得る。一実施例では、無線通信は、ＷｉＦｉまたはＢｌｕｅｔｏｏｔｈ（登録商標）接続性を介するものであってよい。図４Ａに示されるように、前記遠隔の機器４０３は、前記ポイント・オブ・サービスシステム４００と直接通信する。図４Ｂでは、前記遠隔の機器４０３は、前記無線ネットワークアクセスポイント４１４を介して前記ポイント・オブ・サービスシステム４００と通信する。一実施例では、前記遠隔の機器４０３は、前記無線ネットワークアクセスポイント４１４および続いて前記ネットワーク４１０を介して、前記ポイント・オブ・サービスシステム４００と通信する。別の例では、前記遠隔の機器４０３は、ネットワーク４１０と通信し、および続いて前記無線ネットワークアクセスポイント４１４と通信し、すなわち前記システム４００と、直接か、または無線ネットワークアクセスポイント（示されていない）の支援によるかの、いずれかで無線通信状態にある。
【００９１】
１つ以上のセンサーが、前記ポイント・オブ・サービスシステム４００および／またはユーザーインターフェース４０２に組み込まれ得る。前記センサーは、前記システム筐体上に、前記システム筐体の外部に、または前記システム筐体内に提供され得る。本明細書の他の部分に記載する任意のセンサーのタイプが組み込まれ得る。センサーのいくつかの例は、光学的センサー、音、画像化、温度センサー、動作センサー、深度センサー、圧力センサー、電気的特性センサー、ジャイロスコープまたは加速センサー（例えば、加速度計）、およびパルス酸素濃度計を含む。
【００９２】
一実施例では、前記ポイント・オブ・サービスシステム４００は、例えば、前記ポイント・オブ・サービスシステム４００が移動しているとき、または前記システムが転倒するなど、前記ポイント・オブ・サービスシステム４００が、好適または理想表面（例えば、水平表面）上にないときに、それを検出する加速度計を含む。別の例では、前記加速度計は、前記システムが移動しているときに、それを検出する。そのような状況では、前記ポイント・オブ・サービスシステム４００は、前記システム４００の様々な構成要素の障害を防止するためにシャットダウンされる。シャットダウンの前に、前記ポイント・オブ・サービスシステム４００は、前記カメラ４０９の支援により、前記システム４００の上または周囲の所定の領域の写真を撮影する。
【００９３】
前記ユーザーインターフェース４０２（例えば、図形のユーザーインターフェース）は、質問票を被験者（またはユーザー）に提供する。は、１つ以上の質問を含み得る。前記質問票は、被験者の食事の摂取、運動、健康状態および／または精神状態の、またはそれらに関する一連の質問を含む、案内付きの質問票であり得る。加えて、前記ユーザーインターフェース４０２は、前記ポイント・オブ・サービスシステム４００の操作、および／または前記システム４００により収集されたデータに関する情報を表示する。前記ユーザーインターフェース４０２は、前記ポイント・オブ・サービスシステム４００上で遂行され得るプロトコルに関する情報を表示する。前記ユーザーインターフェース４０２は、前記ポイント・オブ・サービスシステム４００に対して外部のソースから提供されるか、または前記ポイント・オブ・サービスシステム４００から提供される、プロトコルに関する情報を含み得る。前記ユーザーインターフェース４０２は、被験者、および／または前記被験者のためのヘルスケアへのアクセスに関する情報を表示する。例えば、前記ユーザーインターフェース４０２は、前記被験者の識別および前記被験者の医療保険に関する情報を表示する。前記ユーザーインターフェース４０２は、前記ポイント・オブ・サービスシステム４００の予定および／または処理操作に関する情報を表示する。
【００９４】
前記ユーザーインターフェース４０２は、前記ポイント・オブ・サービスシステム４００のユーザーからの１つ以上の入力を受け取る能力を有し得る。例えば、前記ユーザーインターフェース４０２は、質問票の一部として、被験者に提供された質問に対する回答を受け取る能力を有し得る。加えて、前記ユーザーインターフェース４０２は、前記ポイント・オブ・サービスシステム４００により遂行されるべき、１つ以上の検定または手順についての指示を受け取り得る。前記ユーザーインターフェース４０２は、前記システム４００内で生じるべき１つ以上のサンプル処理ステップに関する情報をユーザーから受け取り得る。前記ユーザーインターフェースは、観察されるべき１つ以上の検体についての指示を受け取り得る。
【００９５】
前記ユーザーインターフェース４０２は、前記被験者の識別に関する情報を受け取る能力を有する。前記被験者の識別情報は、前記被験者または前記機器の別のオペレーターにより入力され得るか、または画像されるか、さもなければ前記ユーザーインターフェース４０２それ自身により捕捉され得る。そのような身元確認は、バイオメトリック情報、発行された身分証明書、または他の一意的な識別の生理学的（例えば、生物学的）または識別特性、物件、またはデータを含み得る。前記ユーザーインターフェース４０２は、前記被験者についての識別情報を受け取ることを支援する、１つ以上のセンサーを含み得る。前記ユーザーインターフェース４０２は、前記被験者が回答し得る、前記被験者の識別に関連する１つ以上の質問または指示を有し得る。ある場合には、前記ユーザーインターフェース４０２は、前記被験者からの、パスワードおよび／またはセキュリティ質問を要求し得る。
【００９６】
いくつかの実施形態では、前記ユーザーインターフェース４０２は、質問票を被験者に表示するために構成される。前記質問票は、前記被験者の食事の摂取、運動、健康状態および／または精神状態についての質問を含み得る。前記質問票は、前記ディスプレー４０１上、または前記遠隔の機器４０３などの遠隔の機器のディスプレー上に表示された、１つ以上のスクリーンを介して前記被験者に提示される１つまたは複数の質問を有する、案内された質問票であり得る。前記複数の質問は、前記被験者に、順次（すなわち、次々に）に提示され得る。前記質問票は、テクスト、画像、ビデオまたは音声の１つまたは組み合わせによる支援により、前記被験者に提示され得る。ある場合には、前記ユーザーインターフェース４０２は、図形のユーザーインターフェースであり、および前記質問票は、前記ディスプレー４０１上で、１つ以上のテキストの、図形の、音声のおよびビデオ要素の支援により前記被験者に提示される。
【００９７】
ある場合には、前記遠隔の機器４０３は、前記ユーザーの食事の摂取、運動、健康状態および／または精神状態に関する視覚的および／または聴覚的情報を回収するために構成されたカメラを含む。そのような視覚的および／または聴覚的情報（例えば、画像、ビデオ、音）は、質問票の質問に対して回答するために用いられ得るか、または前記システム４００が、前記ユーザーの食事の摂取、運動、健康状態および／または精神状態を観察することを可能にするために、情報を収集するために用いられ得る。一実施例では、前記遠隔機器のカメラ（例えば、ｉＰｈｏｎｅ（登録商標））は、食品項目の画像を捕捉するために用いられ得る。前記画像は、続いて前記システム４００またはクラウドなどの遠隔のシステムに向けられる。前記システム４００は、続いて質問票の質問に対する回答として、前記画像を用いる（例えば、前記ユーザーが前記システム４００により、「大きな」リンゴの写真を撮影することを要求された場合）。代替的に、前記システム４００は、前記遠隔の機器４０３により収集されたそのような情報を、食事の摂取の分量、前記運動の運動量のレベル、健康状態の現状および／または精神状態の現状を決定するために、分析できる。一実施例では、前記システム４００は、前記食品項目の分量を見積もり、およびある場合には、前記食品項目のカロリー情報を見積もるために、前記遠隔の機器４０３のカメラにより捕捉された、食品項目の画像を分析できる。
【００９８】
前記システム４００は、前記質問票の質問に対するユーザーの回答を補完するために、またはある場合には正確性のために、前記ユーザーの回答を試験するために、前記遠隔の機器４０３の支援などによりユーザーにより収集された情報を用い得る。前記システム４００は、そのようなユーザーの入力を、前記ユーザーの較正マトリクスを、更新するか、さもなければ改良するために用い得る。ある場合には、そのようなユーザー入力前記ユーザーの食事の摂取、運動、健康状態および／または精神状態に関する項目の写真（または絵）を含む。そのようなユーザー入力は、周知の寸法（例えば、直径、厚さ）の参照画像などの参照データとともに提供され得る。ある場合には、前記参照データおよびユーザー入力は同じフレーム内に提供され得る。
【００９９】
例えば、前記システム４００は、前記ユーザーに、「大きなリンゴ」の写真を撮ることを要求でき、および前記ユーザーは、前記ユーザーが大きいリンゴを思うものの写真を撮影し得る。前記システム４００は、前記ユーザーに、前記システム４００が容易に識別し得る項目（例えば、合衆国の２５セント硬貨）の参照写真を撮影することを要求できる。前記コインの参照写真は、前記リンゴの写真のサイズを決定するために用いられ得る。前記参照写真は、前記リンゴの写真と同じフレーム内に提供され得る。前記システム４００は、次いで、前記システムの較正が、許容可能であるか、または許容不能であるかを決定するために、前記ユーザーにより撮影された「大きなリンゴ」の写真を、リンゴのサイズに向けられた較正質問への回答と比較する。後者の場合、前記システムは、前記システムのリンゴのサイズに関する較正を、前記ユーザーの回答を考慮して更新する。例えば、前記システム４００は、前記ユーザーにより撮影された、前記リンゴの写真をデジタル化し、前記写真に前記写真中のリンゴのサイズを示す数値を割り当て、前記サイズを、前記ユーザーが前記リンゴをどのように知覚するか（例えば、「大きなリンゴ」）に相関付け、および「大きなリンゴ」の下の、前記システムの較正マトリクス（例えば、図３を参照のこと）に前記数値を入力する。
【０１００】
グラフィカル・ユーザー・インターフェース（ＧＵＩ）などのユーザーインターフェースは、前記システム４００の前記ディスプレー４０１上で、または前記遠隔の機器４０３のディスプレー上で、または前記第一のコンピュータシステム４１１、第二のコンピュータシステム４１２および／または第三のコンピュータシステム４１３のディスプレー上で実行され得る。
【０１０１】
テキストの、図形の、音声の、およびビデオの要素は、前記テキストの、図形の、音声のおよびビデオの要素を生成し、および表示（または提供）するために構成された、ハードウエアおよび／またはソフトウエアの支援により、被験者に提示され得る。前記ソフトウエアは、例えば、ハイパーテクストマークアップ言語（例えば、ＨＴＭＬ５）、ＪａｖａＳｃｒｉｐｔ（登録商標）、Ｃ  ｓｈａｒｐ、Ｊａｖａ（登録商標）／Ｊ＋＋、Ｃ＋＋（または他のオブジェクト指向性コード）などの、機械可読コードの形態の、機械により実行され得る指示を実行する（例えば、コンパイルする）ウエブブラウザを含み得る。ある場合には、そのようなソフトウエアは、ウエブブラウザ、Ａｄｏｂｅ（登録商標）Ｆｌａｓｈ（登録商標）などの支援により表現される。図形の要素は、前記質問票の実行を支援する、画像、ウィジェットおよびアイコンを含み得る。
【０１０２】
前記ユーザーインターフェース４０２は、前記被験者の食事の摂取、運動、健康状態および／または精神状態に関する追加的な情報を受け取る能力を有し得る。前記追加的な情報は、前記被験者により直接に、または前記システム４００の別のオペレーターにより入力され得る。前記被験者は、前記ユーザーインターフェースからの、１つ以上の質問または指示により促されることができ、および回答に情報を入力できる。前記質問または指示は、前記被験者の生活の定性的な側面に関係し得る（例えば、前記被験者がどのような気分であるか）。いくつかの実施形態では、前記被験者から提供された情報は、定性的であり、および定量的ではない。いくつかの例では、しかしながら、前記被験者は、例えば、前記被験者の体重などの定量的情報も提供し得る。ある場合には、前記被験者から提供された情報は、前記被験者からのサンプル中の１つ以上の検体レベルに関連し得る。
【０１０３】
いくつかの実施形態では、前記システム４００は、前記被験者の食事の摂取、運動、健康状態および／または精神状態に関する情報を収集するために構成された、１つ以上の周辺機器と通信するために構成される。前記１つ以上の周辺機器は、体重計、血圧モニター、グルコースモニター、心拍数モニター、カメラを持つ電子機器、パルス酸素濃度計、および／または他の局所分析システムから選ばれ得る。前記カメラを持つ電子機器は、画像認識ソフトウエアを含むことができ；代替的に、前記システム４００または遠隔のサーバーは、前記システム４００が、前記電子機器により撮影された写真から、前記被験者の食品を認識することを可能にするための、画像認識ソフトウエアを含み得る。
【０１０４】
ある場合には、質問票（または調査）の間に、前記ポイント・オブ・サービスシステム４００は、治療および／または前記被験者が過去に受けたか、または現在受けている薬物治療に関する情報も収集し得る。前記ユーザーインターフェース４０２は、調査または同様の技法を用いて前記被験者を促し得る。そのような場合に、前記質問票は、図表、画像、ビデオ、音声、および／または他のメディアを含み得る。
【０１０５】
前記質問票は、固定された一組の質問および／または指示か、または代替的に、固定されておらず、前記ユーザーの回答に基づいて変化し得る質問を有し得る。ある場合には前記質問票は、前記ユーザーに固定された一組の質問を提供し得る一方、他の場合では前記質問は変化し得る。一実施例では、前記ポイント・オブ・サービスシステム４００は、参照質問を含む質問に対する被験者の回答から学習し、および前記被験者の回答に基づいて追加的な質問を提供する機械的学習アルゴリズムを有する。ある場合には、前記質問は、前記ユーザーの以前の質問に応答して、前記システム４００から収集された情報に基づいて変化する。前記調査（例えば、前記質問の配列および／または内容）は、前記被験者の回答に依存して劇的に変化し得る。一実施例では、前記システム４００が、参照質問に対する前記被験者の回答について、前記被験者が矛盾していると決定した場合に、前記システム４００は、追跡の質問を尋ねることができる。
【０１０６】
前記被験者についての識別情報および／または前記被験者に関する追加的な情報は、前記システム４００に保存されることができ、および／または例えば前記ネットワーク４１０を介して、外部機器、またはクラウドコンピューティングインフラストラクチャーに送信され得る。そのような情報は、前記被験者から採集されたサンプルに関するデータの分析、または被験者の健康または満足できる生活状態の観察のために有用であり得る。そのような情報は、保険提供者が、前記被験者の保険補償範囲（例えば、プレミアム）に関する決定を下すためにも用いられ得る。
【０１０７】
前記ユーザーインターフェース４０２、および／または前記システム４００のセンサーは、前記被験者、または前記被験者の環境、または前記被験者にに関する環境に関する情報を収集する能力を有し得る。例えば、前記システム４００は、スクリーン、熱的センサー、光学的センサー、画像化機器、動作センサー、深度センサー、圧力センサー、電気的特性センサー、加速度センサー（例えば、加速度計）、および／または本明細書に記載されるか、もしくは当技術分野で周知の任意の他のタイプのセンサーにより、情報を収集し得る。一実施例では、前記光学的センサーカメラであるか、またはカメラ（例えば、前記カメラ４０９など）の一部である。前記光学的センサーは、１つ以上の前記被験者の静的な画像および／または前記被験者のビデオ画像を捕捉し得る。
【０１０８】
前記カメラ４０９の支援により、前記システム４００は、前記被験者の画像を収集し得る。前記画像は、前記被験者の２Ｄ画像であり得る。前記システム４００は、前記被験者の３Ｄ表現を決定するために用いられ得る、前記被験者の複数の画像を収集し得る。前記システム４００は、前記被験者の一回だけの画像を収集し得る。前記システム４００は、前記被験者の経時的な画像を収集し得る。前記システム４００は、任意の頻度で画像を収集し得る。いくつかの実施形態では、前記システム４００は、リアルタイムで継続的に画像を収集し得る。前記システム４００は、前記被験者のビデオを収集し得る。前記システム４００は、限定はされないが、前記被験者の眼または網膜、前記被験者の顔、前記被験者の首、前記被験者の手、前記被験者の指先、前記被験者の胸部、および／または前記被験者の全身を含む前記被験者の任意の部分に関する画像を収集し得る。前記被験者について収集された画像は、前記被験者の識別および／または診断、治療、観察、または前記被験者のための疾患の予防に対して有用であり得る。いくつかの例では、画像は、前記被験者の身長、外周、体重、またはボディー・マス・インデックスを決定するために有用である。前記システム４００は、被験者の身分証明書、保険カード、または前記被験者に関連する他の任意の物件の画像も捕捉し得る。
【０１０９】
ある場合には、前記カメラ４０９は、ユーザーが、ヘルスケア提供者などの、別のユーザーと通信することを可能にするために用いられ得る。前記システム４００は、前記ユーザーが別のユーザーと、前記通信がライブであることができるように同期様式で通信するか、または非同期様式で通信することを許容し得る。非同期通信では、前記システム４００は、前記ユーザーの音声、画像および／またはビデオを収集し、および前記収集した音、画像および／またはビデオを、後の時点で、収集された音、画像および／またはビデオをレビューできる別のユーザーの遠隔のシステムに送信する。
【０１１０】
前記ポイント・オブ・サービスシステム４００は、前記被験者から音声的情報も収集し得る。そのような音声的情報は、前記被験者の声または前記被験者の１つ以上の生物学的プロセスの音を含み得る。例えば、前記音声的情報は、前記被験者の心拍の音、または前記被験者の呼吸に付随する音を含み得る。
【０１１１】
前記ポイント・オブ・サービスシステム４００は、被験者についてのバイオメトリック情報を収集し得る。例えば、前記ポイント・オブ・サービスシステム４００は、前記被験者の体温についての情報を収集し得る。別の例では、前記ポイント・オブ・サービスシステム４００は、前記被験者の脈拍数についての情報を収集し得る。いくつかの例では、前記ポイント・オブ・サービスシステム４００は、前記被験者の網膜、指紋または掌紋などの、前記被験者の組織または体の少なくとも一部分をスキャンし得る。ある場合には、前記ポイント・オブ・サービスシステム４００は前記被験者の体重を決定し得る。前記ポイント・オブ・サービスシステム４００は、前記被験者からサンプルを採集し、および前記被験者の遺伝子（例えば、ＤＮＡ）、またはその一部分の配列を決定し得る。前記ポイント・オブ・サービスシステム４００は、前記被験者からサンプルを採集し、およびそのプロテオミック分析を遂行し得る。そのような情報は、前記システム４００の作動において用いられ得る。そのような情報は、前記被験者の診断または前記識別に関係し得る。いくつかの実施形態では、前記ポイント・オブ・サービスシステム４００は、前記被験者と同じであっても、または異なってもよい前記システムのオペレーターに関する情報を収集し得る。そのような情報は、前記システムのオペレーターの身元を検証するために有用であり得る。
【０１１２】
いくつかの例では、前記ポイント・オブ・サービスシステム４００により収集されたそのような情報は、前記被験者の身元確認に用いられ得る。前記被験者の身元確認は、保険または治療目的のために検証され得る。前記被験者の識別は、前記被験者の医療記録と結び付けられ得る。いくつかの例では、前記被験者から、前記ポイント・オブ・サービスシステム４００により収集されたデータおよび／またはサンプルは、前記被験者の記録と連結され得る。前記被験者の識別は、前記被験者の健康保険（または他の支払者）の記録とも結び付けられ得る。薬物投与計画に対する遵守は、薬局データベースから通信される、薬物が更新される頻度により、確実に行われ得る。
【０１１３】
いくつかの例では、医療記録を含む、そのような情報は、前記被験者の質問に対する回答票の質問により増補され得る。このことは、ヘルスケア提供者が、前記被験者の健康および／または精神状態を、前記被験者の食事の摂取、運動、健康状態および／または精神状態に関する質問票の質問に対する、前記被験者の回答に相関付けることを可能にする。
【０１１４】
質問に対する回答票の質問は、被験者の適格性を決定するために用いられ得る。一実施例では、個人がポイント・オブ・サービスの場所に到着し、および前記個人が１つ以上の検査に対して適格であるかを見るために、適格性の試験を行う。前記個人は、次いで、予備スクリーニングされ、および質問票により提供された１つ以上の質問に答えることができる。前記質問票は、本明細書の他の部分に記載されるように、参照質問を含み得る。前記質問票は、前記被験者の生活スタイル（例えば、食事、運動、習慣）および／または病歴についての質問を含み得る。医師は前記個人の医師による検査を行い得る。ある場合には、前記質問票は、前記被験者の食事の摂取、運動、健康状態および／または精神状態についての質問を含み得る。前記被験者の健康状態は、前記被験者の生理学的状態に関連付けられることができる。前記被験者の精神状態は、前記被験者のムードまたはうつ病などの他の精神状態に関連付けられることができる。前記質問票は、ユーザーに所定の順序で提示される、前記被験者の食事の摂取、運動、健康状態および／または精神状態の複数の質問、またはそれらに関する複数の質問を有する、案内付きの質問票であり得る。ある場合には、前記被験者の回答から学習し、および前記被験者の回答に応じて後続する質問を調整するために構成された、前記ポイント・オブ・サービスシステム４００のシステム（またはサブシステム）の支援により、前記質問票が前記被験者に提示される。ある場合には、質問票の結果は、サンプル処理および／または化学的検定において予期される、何らかの複雑性のためのＳＰＵを準備するためにも用いられ得る。一実施例では、自身を喫煙者として特定する被験者は、予期される高いヘマトクリット値のためのフラッグを引き起こすことができ、それにより遠心分離サンプルからの血漿の注意深い抽出を要求する。
【０１１５】
いくつかの実施形態では、前記被験者への生活スタイルの推奨が、前記ポイント・オブ・サービスシステム４００および／または前記ポイント・オブ・サービスシステム４００に関連するシステムにより行われ得る。そのような推奨は、前記被験者が前記質問票を完成する、前に、その間に、またはその後に提供され得る。そのような推奨は、前記質問票、医療記録、生化学的データ、および／または検査結果において集められた情報に基づいて作成され得る。例えば、前記システムは、食事の摂取、運動、健康状態および／または精神状態のレベルまたは量についての前記被験者の認知が、どのように定量され得る標準に関係しているかの情報を前記被験者に提供し得るであろう。いくつかの実施形態では、ポイント・オブ・サービスシステム４００および／または前記ポイント・オブ・サービスシステム４００に関連するシステムは、自身の健康または他の状態に関して、被験者を教育することを助け得る。
【０１１６】
いくつかの実施形態では、前記ポイント・オブ・サービスシステム４００は、食事の摂取の分量、前記運動の運動量のレベル、健康状態の現状および／または精神状態の現状の絵画的描写を含む参照情報の支援により、被験者の質問に対する回答を解釈する。前記参照情報は、前記システム４００の記憶場所（例えば、キャッシュ、ハードドライブ、フラッシュメモリ）に保存される較正マトリクスの中に含まれ得る。代替的に、被験者の回答は、前記ポイント・オブ・サービスシステム４００から遠隔に配置されたサーバーの支援により解釈され得る。前記サーバーは、較正マトリクスを含み得る。
【０１１７】
ある場合には、前記ポイント・オブ・サービスシステム４００および／またはヘルスケア専門家が、観察される前記被験者についての、例えば、血圧、体重、体温などのバイオメトリック情報を収集し得る。これは、前記ポイント・オブ・サービスシステム４００により処理され得る、前記被験者から採集されたサンプルの検査結果と連結されることができる。前記情報の全てが連結されることができ、および前記臨床的決断支援システムによりアクセスされ得る。いくつかの実施形態では、前記情報の全てが単一の被験者の記録内で連結され得る。そのような手順は、年次健康診断または予防的ケアのために有用であり得る。そのような手順は、疾患の診断、治療、および／または観察のためにも有用であり得る。
【０１１８】
いくつかの実施形態では、被験者の定性的または定量的測定を行うために、前記ポイント・オブ・サービスシステム４００は、操作可能に１つ以上のセンサーと連結され得る。そのような測定は、前記被験者の食事の摂取、運動、健康状態および／または精神状態に関係し得る。前記１つ以上のセンサーは、体重センサー、眼センサー、体温センサー、血圧センサー、心拍数センサー、脳波センサー、湿度センサーおよびｐＨセンサーから選択され得る。一実施例では、被験者の体重計は、前記被験者の体重の測定を行う間に、またはその後に、前記ポイント・オブ・サービスシステム４００と通信するために構成される。前記ポイント・オブ・サービスシステム４００は、前記被験者の体重を収集し、およびある場合には前記被験者の体重が測定された時点に付随するタイムスタンプと共にメモリ場所に保存する。代替的に、前記体重計は、前記被験者の体重に関する情報を、前記情報を、続いて前記システム４００に送信する、前記遠隔の機器４０３に送信し得る。
【０１１９】
ユーザーの食事の摂取、運動、健康状態および／または精神状態に関する情報は、ユーザープロファイル中に保持され得る。ある場合には、前記プロファイルは、例えば、図４Ａおよび４Ｂのシステム４００などの、本明細書で提供される方法を実行する機器またはシステムの記憶場所に保持され得る。他の場合には、前記プロファイルは、本明細書で提供される方法を実行するシステムの機器から遠隔のコンピュータシステムの記憶場所に保持され得る。ある場合には、前記プロファイルは、前記ユーザーによりアクセスされることができ、および編集され、更新され、または削除され得る。
【０１２０】
ある場合には、ユーザーの食事の摂取、運動、健康状態および／または精神状態に関する詳細が、前記ユーザーに付随する機器により提供され得る。例えば、ユーザーの活動に関係し得る、前記ユーザーが歩いた距離が、加速度計または歩数計、および移動した距離を記録するソフトウエアを有する機器により提供されることができる。そのような機器は、前記ユーザーの食事の摂取、運動、健康状態および／または精神状態の記録を保存するための、前記システム４００などの機器と通信することができる。そのようなシステムは、そのような情報を収集し、およびユーザーのプロファイルを更新するためのシステムと通信することができる。例えば、前記情報は、前記システム４００にアップロードされることができ、および前記ユーザーの活動日記を更新するために用いられ得る。
【０１２１】
例として、前記ユーザーの活動の強度が、ポータブルの電子機器（例えば、ｉＰｈｏｎｅ（登録商標））に含まれ得る加速度計を用いて測定され得る。前記強度情報は、前記システム４００などの、前記ユーザーの食事の摂取、運動、健康状態および／または精神状態の記録を保存する機器またはシステムに移転されることができ、および更に、参照情報の支援により較正され得る。ある場合には、前記強度情報は、上記で記載した方法を用いて前記ポータブルの電子機器上で較正され得る。
【０１２２】
ある場合には、前記システム４００は、ユーザー（または被験者）から生理学的データを収集するための様々なサブシステムを含む。サブシステムの例としては、制限なしに、血圧計カフ、パルス酸素濃度計、温度センサー（例えば、温度計）、うそ発見器、および虹彩の拡張を測定するための虹彩スキャナーが挙げられる。前記サブシステムは、前記システム４００内に含まれ得るか、または周辺機器としての前記機器に連結され得る。
【０１２３】
前記システム（または機器）４００は、参照によりその全体が本明細書に組み込まれる、Ｈｏｌｍｅｓの米国特許出願第１３／２４４，９４６号“ＳＹＳＴＥＭＳ  ＡＮＤ  ＭＥＴＨＯＤＳ  ＦＯＲ  ＣＯＬＬＥＣＴＩＮＧ  ＡＮＤ  ＴＲＡＮＳＭＩＴＴＩＮＧ  ＡＳＳＡＹ  ＲＥＳＵＬＴＳ”）、およびＨｏｌｍｅｓらの米国特許出願第１３／２４４，９４７号（“ＳＹＳＴＥＭＳ  ＡＮＤ  ＭＥＴＨＯＤＳ  ＦＯＲ  ＭＵＬＴＩ−ＡＮＡＬＹＳＩＳ”）に記載されるものであってよい。例えば、前記システム４００は、支持構造に取り付けられた、複数のモジュールを含み得る。前記複数のモジュールの個々のモジュールは、サンプル調製ステーション、検定ステーション、および／または検出ステーションを含み得る。加えて、前記システム４００は、（ａ）サンプル処理、遠心分離、分離、および化学的処理より成る群から選ばれる少なくとも１つのサンプル調製手順、および（ｂ）免疫検定、核酸検定、受容体に基づく検定、血球計算検定、比色検定、酵素的検定、電気泳動的検定、電気化学的検定、分光学的検定、クロマトグラフィー的検定、顕微鏡的検定、形態的検定、熱量測定的検定、比濁的検定、凝集検定、放射性同位体検定、粘度的検定、凝固検定、凝固時間検定、タンパク質合成検定、組織学的検定、培養検定、浸透圧検定、およびそれらの組み合わせより成る群から選ばれる複数のタイプの検定を遂行するために構成され得る。前記複数のタイプの検定は、前記システム４００内に収容される分離された検定ユニットの支援により遂行される。
【０１２４】
ある場合には、前記システム４００は、参照によりその全体が本明細書に組み込まれる、Ｂａｌｗａｎｉの米国特許出願第１３／２４４，８３６号（“ＳＹＳＴＥＭＳ  ＡＮＤ
ＭＥＴＨＯＤＳ  ＦＯＲ  ＭＵＬＴＩ−ＡＮＡＬＹＳＩＳ”）に開示されるシステムおよび方法の支援により、ネットワークにアクセスし得る。
【０１２５】
本明細書において提供されるシステムまたは機器上で実行されるグラフィカル・ユーザー・インターフェースの支援により、ユーザーとの間で交換され得る。いくつかの実施形態では、グラフィカル・ユーザー・インターフェースは、複数のアイコンまたはボタンを含む。図５は、前記ポイント・オブ・サービスシステム４００または前記遠隔の機器４０３などの遠隔のコンピュータシステム上で実行され得る、例示的なグラフィカル・ユーザー・インターフェース（ＧＵＩ）５００を示す。前記ＧＵＩ５００は、食事モジュール５０１、活動モジュール５０２、日記モジュール５０３、生理学的データモジュール５０４、質問モジュール５０５、および処方データベースモジュール５０６を含む。それぞれのモジュールは、前記ＧＵＩ５００を収納する機器のオペレーティング・システム上で実行またはさもなければ実施されるために構成されたアプリケーション（または「アップ（Ａｐｐ）」）を用いて実施され得る。
【０１２６】
前記モジュール５０１〜５０６のそれぞれは、被験者に、本明細書に記載される案内された質問票（または調査）などの、一連の質問を提示することにより被験者から情報を収集することを支援する。前記食事モジュール５０１は、被験者から食事の情報を収集することを支援する。食事の情報は、前記被験者が消費する物質（食用または非食用）、または食べるか、飲むかを予期している物質の詳細（例えば、液体、固体、または半固体物質）を含み得る。前記活動モジュール５０２は、運動ルーチンおよびスポーツなどの、前記被験者の１つ以上の活動についての情報を収集するために用いられ得る。前記日記モジュール５０３は、前記被験者の思考および記憶に加えて、被験者の過去の活動、現在の活動、または将来の活動などの前記被験者の日常のルーチンに関する情報の収集のために用いられ得る。前記生理学的データモジュール５０４は、例えば、体温、心拍数、酸素飽和度、および／または皮膚伝導度などの、被験者の生理学的データに関する情報の収集のために用いられ得る。前記質問モジュール５０５は、被験者が、前記システムまたはヘルスケア提供者に、前記被験者の健康に関する質問などをすることを可能にするために用いられる。前記処方データベースモジュール５０６は、前記被験者が、１つ以上の薬剤を、前記モジュール５０１〜５０６を有する機器と通信状態（例えば、ネットワーク通信）にある薬局で注文するなど、処方薬を入手することを支援するために用いられる。
【０１２７】
前記質問モジュール５０５は、ユーザーが前記システムに質問（例えば、健康関連質問）を尋ねるなどの、システムとの会話を開始することを可能にし得る。一実施例では、前記システム４００は薬局または他の専門的な場所（例えば、医師のオフィスの待合室、病院のロビー）に提供され、および前記システム４００は、前記ユーザーの投薬計画または治療が、修正を要するか否かを決定するために、前記ユーザーに質問および回答を提供し、および修正が必要な場合は、前記ユーザーが、前記ユーザーの投薬計画の更なる情報について、医師またはヘルスケア提供者に相談するべきであることを推奨する。
【０１２８】
前記モジュール５０１〜５０６は、前記ポイント・オブ・サービスシステム４００、または前記遠隔の機器４０３などの遠隔のコンピュータシステムなどのポイント・オブ・サービス機器上で実行され得る。それぞれのモジュールは、１つ以上の質問、およびある場合には、本明細書に記載される１つ以上の参照（または較正）質問を有する、質問票（または調査）に連結され得る。
【０１２９】
別の実施形態では、本明細書で提供されるものは、食事の摂取、運動、健康状態、または精神状態に関する質問に対するユーザーの回答を較正するための方法を実行する機械により実行可能なコードを含むコンピュータ可読媒体である。前記方法は、本明細書に記載される任意の方法であってよい。いくつかの実施形態では、前記方法は、コンピュータシステムおよび前記コンピュータシステムに操作可能に連結された対話型ディスプレーの支援により、クエリーをユーザーに提示することを含み、前記クエリーは、前記ユーザーの食事の摂取、運動、健康状態および／または精神状態に関する。次に、コンピュータプロセッサ（本明細書においては「プロセッサ」でもある）を有するコンピュータシステムおよび対話型ディスプレーの支援により、前記ユーザーからの前記クエリーへの回答が受け取られる。前記コンピュータシステムの支援により、前記回答は一組の参照情報に基づいて解釈される。前記一組の参照情報は、食事の摂取の分量、前記運動の運動量のレベル、健康状態の現状、および／または精神状態の現状の絵画的描写を含む。
【０１３０】
質問票は、プロセッサおよび方法を実行するための機械により実行可能なコードを有する記憶場所を有するシステム上で実行され得る。本明細書で提供される機器、システムおよび方法の態様は、プログラミングにおいて具体化され得る。前記技術の様々な態様は、典型的に実行可能なコードおよび／または関連するデータの形態、すなわち機械可読媒体のあるタイプの中に担持されるか、または具体化される、「製品」（“ｐｒｏｄｕｃｔｓ”）、または「製品の品目」（“ａｒｔｉｃｌｅｓ  ｏｆ  ｍａｎｕｆａｃｔｕｒｅ”）とみなされ得る。保存型媒体は、前記ソフトウエアプログラミングのために、いつでも持続的保存を提供し得る、コンピュータ、プロセッサ、または様々な半導体メモリ、それらに付随する、テープドライブ、ディスクドライブなどの、モジュールなどの有形メモリのいくらか、またはすべてを含み得る。前記ソフトウエアの、全てまたは一部は、インターネットまたは様々な他の遠隔通信ネットワークを介して、いつでも通信され得る。そのような通信は、例えば、前記ソフトウエアを、１つのコンピュータまたはプロセッサから別のものに、例えば、管理サーバーまたはホストコンピュータから、アプリケーションサーバーまたは強度変換システムのコンピュータプラットフォームへと、ロードすることを可能にし得る。従って、ソフトウエア要素を担うことができる別のタイプの媒体は、有線および光学的有線通信ネットワークおよび様々な無線リンクを通じて、ローカルの機器の間の物理的インターフェースを通じて用いられるような、光波、電波および電磁波を含む。そのような、有線または無線リンク、光学的リンクなどの波動を運ぶ物理的要素も、前記ソフトウエアを担う媒体として考慮され得る。本明細書において用いられる、持続的な有形「保存」媒体に制限されない場合の、コンピュータまたは機械「可読媒体」などの用語は、実行のために指示をプロセッサに提供することに関与する任意の媒体を指す。
【０１３１】
従って、コンピュータにより実行可能なコードなどの、機械可読媒体は、限定はされないが、有形保存媒体、搬送波、または物理的送信媒体を含む、多くの形態をとることができる。不揮発性保存媒体は、例えば、光ディスク、またはデータベースなどを実装するために用いられるような、コンピュータなどの中の任意の保存機器などの、前記図に示される磁気ディスクを含む。揮発性保存媒体は、コンピュータプラットフォームなどのメインメモリなどのダイナミックメモリを含む。有形送信媒体は、同軸ケーブル；コンピュータシステム内のバスを含むワイヤーを含む銅線および光ファイバーを含む。搬送波送信媒体は、ラジオ周波数（ＲＦ）および赤外線（ＩＲ）データ通信の間に生成されるような、電気的または電磁的信号の形態、または音波または光波の形態をとることができる。コンピュータ可読媒体の共通の形態は、従って例えば：フロッピー（登録商標）ディスク、フレキシブル・ディスク、ハードディスク、磁気テープ、任意の他の磁気媒体、ＣＤ−ＲＯＭ、ＤＶＤまたはＤＶＤ−ＲＯＭ、任意の他の光学的媒体、パンチカード紙テープ、穴のパターンを持つ任意の他の物理的媒体、ＲＡＭ、ＲＯＭ、ＰＲＯＭおよびＥＰＲＯＭ、ＦＬＡＳＨ−ＥＰＲＯＭ、任意の他のメモリチップまたはカートリッジ、搬送波輸送データまたは指示、そのような搬送波を輸送するケーブルまたはリンク、またはそれから、コンピュータがコードおよび／またはデータを読むことのできる任意の他の媒体を含む。これらのコンピュータ可読媒体の形態の多くは、実行のために、１つ以上の指示の１つ以上の配列をプロセッサに搬送することに関与し得る。
【実施例１】
【０１３２】
図６は、ユーザーの食事の摂取に関する情報を収集するための調査を有するグラフィカル・ユーザー・インターフェース（ＧＵＩ）のスクリーンショットである。情報が、前記ユーザーから収集され得る。前記ＧＵＩは、前記図４Ａおよび４Ｂのシステム４００などの、対話型ディスプレーを有するシステムにより実行され得る。前記ＧＵＩは、ユーザーが、様々な朝食、昼食、夕食およびスナック項目を入力することを可能にする。例えば、前記ユーザーは、“＋朝食を加える”を押すことにより朝食項目を入力できる。前記ＧＵＩは、空の“食事日記”を示しており、前記ユーザーは“＋朝食を加える”、“＋昼食を加える”“＋夕食を加える”および“＋スナックを加える”のいずれかを押すことにより追加できる。
【０１３３】
例えば、前記ユーザーは、前記ユーザーが、何を昼食として摂取したかについての詳細を提供するために、“＋昼食を加える”を選択できる。次いで、前記システムは、前記ユーザーに、前記ユーザーが昼食のために何を摂取したかを示すように要請する（例えば、テクスト入力ボックス、または選択肢を持つドロップダウンメニューの支援により）。次いで、前記システムは、前記ユーザーに摂取した量を示すように要請する。
【０１３４】
図７を参照して、一実施例では、前記ユーザーは、“ハム、スライスされた”を、昼食に選択する。前記システムは、次いで、前記ユーザーに、摂取したハムの“量”および“ユニット”を尋ねる。前記ユーザーは前記量およびユニットの入力として“１”および“人前”を入力する。次いで、前記システムは、前記ユーザーに、前記ユーザーが１人前により何を意味したかを解釈するための較正（または参照）質問をする。図８を参照して、新しいスクリーン中で、前記システムは、前記ユーザーに、“スライスされたハムの１人前の分量はどのくらいの大きさか”を尋ねる。前記システムは、前記ユーザーに、そこから選ぶための異なるサイズの３つの選択肢（“写真１”、“写真２”、および“写真３”）を提供する。前記ユーザーは、１人前のスライスされたハムを最もよく近似する写真を選択する。
【０１３５】
前記システムは、前記ユーザーが、食品を加えること、食品を取り除くこと、または回答を編集することを可能にするために、前記ユーザーに様々なＧＵＩメニュー項目を提示する。前記ユーザーは、前記ユーザーの食品日記に、“食品を日記に加える”ＧＵＩメニュー項目を押すことにより、他の食品を加え得る。前記ユーザーは、“戻る”ＧＵＩメニュー項目を押すことにより、任意の前記質問に対する回答を修正または編集できる。
【実施例２】
【０１３６】
図９は、ユーザーがサイクリングする活動の情報を収集するための調査を有するグラフィカル・ユーザー・インターフェース（ＧＵＩ）のスクリーンショットである。前記情報は前記ユーザーから収集され得る。前記ＧＵＩは、前記図４Ａおよび４Ｂのシステム４００などの対話型ディスプレーを有するシステムにより実行され得る。図示された実施例においては、前記ユーザーは、様々な活動選択肢から“サイクリング”を選択し、および前記システムは、前記ユーザーに、“時間”、“強度”、および“距離”を入力するように要請する。前記ＧＵＩは、前記ユーザーが要求された情報を入力することを支援する、“前記活動はどれだけの時間を要したか？”などの質問を提供する。前記ユーザーは、前記質問を持つボックスに情報を提供できる。
【０１３７】
前記ＧＵＩは、前記ユーザーに、以前のスクリーンへナビゲートする（“戻る”）および前記ユーザー活動リスト（“私の活動リスト”）を見るなどの、様々なＧＵＩメニュー項目を提供する。前記ＧＵＩは、“＋活動リストに追加する”を押すことにより、前記ユーザーに、他の活動を入力するための選択肢も提供する。
【０１３８】
図１０では、前記ユーザーは、“強度”のフィールドを選択し、および前記ユーザーの自転車に乗る活動の強度を特性化するために、様々な選択肢から選択する。前記ユーザーは、“中程度”を強度として選択し、および次のステップに進むために、“詳細を保存する”を選択する。
【０１３９】
図１１を参照するが、前記システムは、前記ユーザーに、“中程度”により前記ユーザーが何を意味したかを解釈するために参照質問を尋ねる。前記システムは、前記ユーザーに、そこから選択するための３つの写真の選択肢（“写真１、”“写真２、”および“写真３”）を提供する。そのうちの少なくとも１つが、中程度の強度を近似する。例えば、“写真１”は、ユーザーに歩行を示し、“写真２”はユーザーにジョギングを示し、および“写真３”は、ユーザーに疾走を示し得る。前記ユーザーは、前記ユーザーにとっての、中程度の強度を最もよく近似する写真を選択する。
【実施例３】
【０１４０】
図１２は、ユーザーのムードなどの精神状態についての情報を収集するための調査を有するグラフィカル・ユーザー・インターフェース（ＧＵＩ）のスクリーンショットである。前記ＧＵＩは、前記図４Ａおよび４Ｂのシステム４００などの対話型ディスプレーを有するシステムにより実行され得る。図示された実施例においては、前記システムは、前記ユーザーに、前記ユーザーのムードを捉える１〜１０の整数を選択するように要請し、その中で１は“非常に悪い”に対応し、および１０は、“非常に良い”に対応している。前記ユーザーは６を選択するとする。前記システムは、次いで、前記ユーザーが、“次に”を押すことにより前記調査の先に進むことを可能にする。図１３を参照するが、前記システムは、次いで、前記ユーザーにより、図１２において、前記ユーザーが精神状態の６を選択したことの意味を解釈するために、前記ユーザーに参照質問を尋ねる。前記システムは、前記ユーザーに、そこから選択するための３つの写真の選択肢（“写真１”  、“写真２”  、および“写真３”）を提供する。その中の少なくとも１つが、満足状態６を近似する。例えば、“写真１”は悲しい顔の印象を持つ個人を示し、“写真２”は中立的な顔の印象を持つ個人を示し、および“写真３”は微笑んだ個人を示し得る。前記ユーザーは、前記写真の中から、満足できる状態６を最もよく近似する写真を選択する。
【０１４１】
ある場合には、前記写真の選択肢は、質問票の質問および／または較正質問に対する前記ユーザーの回答に基づいて変化する。例えば、満足できる状態１のために、前記ユーザーに提示される３つの写真の選択肢は、満足できる状態６のために前記ユーザー提示される、前記３つの写真選択肢とは異なることができる。
【０１４２】
上述のことは、本発明の好適な実施例の完全な記載であるが、様々な代替物、修正および等価物を使用することが可能である。従って、現在の発明の範囲は、上記の記載を参照して決定されるべきではなく、添付の特許請求の範囲、およびそれらの等価物の完全な範囲を参照して決定されるべきである。好適であるか、またはないかに関わらず、任意の特徴が、好適であるか、またはないかに関わらず、他の特徴と組み合わされ得る。「ｍｅａｎｓ  ｆｏｒ（ための手段）」の語句を使用して、所定の請求項が明確に言明されていない限り、添付された請求項は、手段プラス機能の限定を含むものとは解釈されない。本明細書の記載、以下の特許請求範囲の全体を通して用いられるように、「ａ（１つ）」「ａｎ（１つ）」「ｔｈｅ（前記の）」は、文脈において明白に示さない限り、複数の意味を含むことを理解されたい。更に、本明細書の記載、および以下の特許請求の範囲の全体を通して用いられる、「ｉｎ（〜の中に）」の意味は、文脈で明白に示されない限り、「ｉｎ（〜の中に）」、および「ｏｎ（〜の上に）」を含む。更に、本明細書において、及びそれに続く特許請求の範囲の全てを通じて用いられる、用語「ｉｎｃｌｕｄｅ」および「ｃｏｎｔａｉｎ」には制限がなく、および追加的な列挙されていない要素または方法のステップを除外しない。最後に、更に、本明細書の記載、および以下の特許請求の範囲の全体を通して用いられる、「ａｎｄ（および）」、「ｏｒ（または）」の意味は、文脈で明白に示されない限り、接続詞および離接的接続詞を含み、交換可能に使用され得る。従って、文脈で明白に指示しない限り、文脈の中で「ａｎｄ（および）」、または「ｏｒ（または）」という用語が使用される場合、そのような接続の使用法は「および／ｏｒ（および／または）」を除外しない。
【図１】
2019091498.tif 000003
【図２Ａ】
2019091498.tif 000004
【図２Ｂ】
2019091498.tif 000005
【図３】
2019091498.tif 000006
【図４Ａ】
2019091498.tif 000007
【図４Ｂ】
2019091498.tif 000008
【図５】
2019091498.tif 000009
【図６】
2019091498.tif 000010
【図７】
2019091498.tif 000011
【図８】
2019091498.tif 000012
【図９】
2019091498.tif 000013
【図１０】
2019091498.tif 000014
【図１１】
2019091498.tif 000015
【図１２】
2019091498.tif 000016
【図１３】
2019091498.tif 000017
【外国語明細書】
2019091498000001.pdf